(57)【特許請求の範囲】
【請求項１】
タービンエンジンであって、
タービンハウジングと、
前記タービンハウジング内に回転可能に取り付けられたブレードを有するロータであって、前記ブレードの遠位先端は、ブレード回転方向でかつ前記タービンハウジングに関して軸方向でブレード先端周方向移動経路を形成しており、前記ブレード先端は、前縁と、対応するタービンブレード回転軸線に対して表面接線がほぼ平行である、圧力側凹面上の弦中間カットオフポイントと、後縁と、を有している、ロータと、
アブレイダブル構成部材と、を備え、
前記アブレイダブル構成部材は、
タービンブレード回転軸線を包囲するタービンケーシング内周に結合するように適応された支持面であって、上流端部および下流端部と、前記対応するタービンブレード回転軸線に対して平行な向きになるように適応された支持面軸線と、を有する、支持面と、
前記支持面に接続されたアブレイダブル基板（１３００）であって、移行部分（Ｔ）によって接続された一対の前方線形セグメント部分および後方線形セグメント部分（Ａ，Ｂ）によって画成された、溝と鉛直方向に突出するリッジ（１３０２，１３０２Ａ，１３０２Ｂ）との合成角平面図形パターンを有する基板表面を備える、アブレイダブル基板（１３００）と、
前記支持面の上流端部の近くで始まり、前記支持面軸線に対して±１０度の角度範囲で配向されており、意図されたタービンブレード弦中間カットオフポイントの移動経路の半径方向および軸方向投影位置の上流の支持面端部の間で終了する、各前方線形セグメント部分（Ａ）と、
前記意図されたタービンブレード弦中間カットオフポイントの下流で始まり、対応するタービンブレード回転方向とは反対に角度方向に配向されており、前記支持面の下流端部の近くで終了する、各後方線形セグメント部分（Ｂ）と、を備え、
前記前方線形セグメント部分（Ａ）における前方リッジ（１３０２Ａ）は、前記後方線形セグメント部分（Ｂ）における後方リッジ（１３０２Ｂ）よりも高い表面積密度を有する
ことを特徴とする、タービンエンジン。
【請求項２】
前記前方リッジのより大きな表面密度を形成するために、前記後方リッジ（１３０２Ｂ）よりも幅広の前記前方リッジ（１３２０Ａ）をさらに備える、請求項１記載のタービンエンジン。
【請求項３】
対応する接続された前記前方リッジおよび前記後方リッジの幅のそれぞれの幅に一致するように、移行セクションにおいて前方から後方へ狭まるリッジ幅（ＷR）をさらに有する、請求項２記載のタービンエンジン。
【請求項４】
湾曲した平面図形を規定する、移行セクション（Ｔ）におけるリッジおよび溝をさらに備える、請求項２記載のタービンエンジン。
【請求項５】
前記リッジの少なくとも複数の部分は、前記支持面に対して傾斜した遠位の突出する先端を有する、請求項２記載のタービンエンジン。
【請求項６】
前記リッジおよび溝は、連続したジグザグ状の溝パターンを有する、請求項２記載のタービンエンジン。
【請求項７】
前記リッジおよび溝は、一定の間隔ピッチ（ＳRA，ＳRB，ＳRT）を有する、請求項２記載のタービンエンジン。
【請求項８】
前記リッジおよび溝は、一定の間隔ピッチ（ＳRA，ＳRB，ＳRT）を有する、請求項１記載のタービンエンジン。
【請求項９】
前記リッジおよび溝は、連続したジグザグ状の溝パターンを有する、請求項１記載のタービンエンジン。
【請求項１０】
前記前方線形セグメント部分の各前方リッジは、前記支持面軸線に対して平行に向けられている、請求項１記載のタービンエンジン。
【発明の詳細な説明】
【技術分野】
【０００１】
優先権の主張および関連出願との相互参照
本願は、以下の米国特許出願の優先権を主張し、これらの全ての出願は２０１４年２月２５日に出願され、それぞれの全ての内容は参照により本明細書に援用される：
出願番号１４／１８９，０８１が割り当てられた「TURBINE ABRADABLE LAYER WITH ZIG-ZAG GROOVE PATTERN」
出願番号１４／１８９，０３５が割り当てられた「TURBINE ABRADABLE LAYER WITH ASYMMETRIC RIDGES OR GROOVES」
出願番号１４／１８８，９９２が割り当てられた「TURBINE ABRADABLE LAYER WITH PROGRESSIVE WEAR ZONE TERRACED RIDGES」。
【０００２】
事件番号２０１５Ｐ０１１７４ＷＯであり、出願番号（未知）が割り当てられた、「TURBINE ABRADABLE LAYER WITH INCLINED SURFACE RIDGE OR GROOVE PATTERN」と題する同時に出願された国際特許出願は、関連出願として特定され、参照により本明細書に援用される。
【０００３】
以下の米国特許出願は、２０１４年２月２５日に同時に出願されたものであり、ここに提出される出願を検討する目的のために関連出願として特定され、各出願の内容全体は参照により本明細書に援用される：
出願番号１４／１８８，８１３が割り当てられた「TURBINE ABRADABLE LAYER WITH PROGRESSIVE WEAR ZONE MULTI DEPTH GROOVES」
出願番号１４／１８８，９４１が割り当てられた「TURBINE ABRADABLE LAYER WITH PROGRESSIVE WEAR ZONE HAVING A FRANGIBLE OR PIXELATED NIB SURFACE」
出願番号１４／１８８，９５８が割り当てられた「TURBINE ABRADABLE LAYER WITH PROGRESSIVE WEAR ZONE MULTI LEVEL RIDGE ARRAYS」
出願番号１４／１８９，０１１が割り当てられた「TURBINE ABRADABLE LAYER WITH NESTED LOOP GROOVE PATTERN」。
【０００４】
発明の背景
１．発明の分野
本発明は、ガスまたは蒸気タービンエンジンを含む、アブレイダブル面を有するタービンエンジン用のアブレイダブル面に関し、また、エンジンブレード先端摩耗およびブレード先端漏れを減じる方法に関する。特に、本発明の様々な実施形態は、非対称の前方および後方のリッジ表面積密度を有するアブレイダブル面であって、エンジン運転中に前方ゾーンにおけるより大きなリッジ浸食を補償するとともに後方ゾーンにおけるブレード先端摩耗を減じるために、前方リッジが後方リッジよりも大きな表面積密度を有する、アブレイダブル面に関する。
【０００５】
２．従来技術の説明
ガスタービンエンジンおよび蒸気タービンエンジンを含む公知のタービンエンジンは、タービンケーシングまたはハウジングによって周方向に包囲された、軸取付けされたタービンブレードを有する。タービンブレードを流過する高温ガスはブレード回転を生ぜしめ、このブレード回転は、高温ガス内の熱エネルギを機械的仕事に変換し、この機械的仕事は、発電機などの回転機械に動力を提供するために利用可能である。図１〜図６を参照すると、ガスタービンエンジン８０などの公知のタービンエンジンは、多段圧縮機セクション８２と、燃焼器セクション８４と、多段タービンセクション８６と、排出システム８８とを有する。大気圧吸気が、タービンエンジン８０の軸方向長さに沿って概して流れ矢印Ｆの方向で圧縮機セクション８２に引き込まれる。吸気は、回転する圧縮機ブレードの複数の列によって圧縮機セクション８２において次第に加圧され、対応する圧縮機ベーンによって燃焼器セクション８４へ方向付けられ、この燃焼器セクション８４において燃料と混合され、点火される。点火された燃料・空気混合物は、今度は元々の吸気よりも高い圧力および速度で、タービンセクション８６における連続した列Ｒ1，Ｒ2等へ方向付けられる。エンジンのロータおよび軸９０は、圧縮機８２およびタービン８６セクションにおいて、遠位ブレード先端９４において終わる翼断面形状タービンブレード９２の複数の列を有する。簡便かつ簡略にするため、エンジンにおけるタービンブレードおよびアブレイダブル層のさらなる説明は、タービンセクション８６の実施形態および用途に焦点を絞るが、同様の構成は圧縮機セクション８２にも適用可能である。各ブレード９２は、凹面輪郭の高圧側９６と、凸面状の低圧側９８とを有する。燃焼流れ方向Ｆに流れる高速・高圧の燃焼ガスは、ブレード９２に回転運動を付与し、ロータを回転させる。公知のように、ロータ軸に付与された機械的動力の一部は、有効仕事を行うために利用可能である。燃焼ガスは、ロータの半径方向遠位においてはタービンケーシング１００によって、ロータの近位では空気シール１０２によって拘束されている。図２に示された第１列セクションを参照すると、それぞれの上流ベーン１０４および下流ベーン１０６は、上流燃焼ガスをタービンブレード９２の前縁の入射角に対してほぼ平行に方向付け、ブレードの後縁から出る下流燃焼ガスを方向転換する。
【０００６】
ブレード先端９４の近くの、タービンエンジン８０のタービンケーシング１００は、複数の扇形のアブレイダブル構成部材１００によって被覆されており、各アブレイダブル構成部材１００は、ケーシング内に保持されかつケーシングに結合された支持面１１２と、ブレード先端間隙Ｇによってブレード先端と向き合って間隔を置かれた関係にあるアブレイダブル基板１２０とを有する。アブレイダブル基板は、多くの場合、高い熱的抵抗性および熱的腐食抵抗性を有しかつ高い燃焼温度において構造的一体性を維持する金属／セラミック材料から構成されている。アブレイダブル面１２０の金属セラミック材料は、多くの場合、タービンブレード先端９４の材料よりも削られやすいので、ブレード先端間隙Ｇは、良くても早すぎるブレード先端摩耗を、より悪い場合にはその状況がエンジン損傷を生じ得る、２つの向き合った構成部材間の接触を回避するように維持されている。幾つかの公知のアブレイダブル構成部材１１０は、モノリシックの金属／セラミックアブレイダブル基板１２０を備えて構成されている。その他の公知のアブレイダブル構成部材１１０は、米国特許第６６４１９０７号明細書に記載されているように、より小さな粒子のセラミックフィラーによって包囲された、緊密にパックされた中空セラミック球状粒子の複数の層の破砕性傾斜断熱材（ＦＧＩ）セラミック層が結合されたセラミック支持面１１２を有する、複合マトリックス複合（ＣＭＣ）構造を備えて構成されている。異なる特性を有する球状粒子は、基板１２０に成層されており、概してより容易に削られやすい球体は、ブレード先端９４の摩耗を減じるために上層を形成している。別のＣＭＣ構造は米国特許出願公開第２００８／０２７４３３６号明細書に記載されており、表面は、中空セラミック球体の間に、切断された溝付きのパターンを有する。溝は、ブレード先端９４がアブレイダブル面と接触したとしても、潜在的なブレード先端９４の摩耗を減じるように、アブレイダブル面材料の断面積を減じることが意図されている。その他の一般的に公知のアブレイダブル構成部材１１０は、アブレイダブル基板層１２０を形成する溶射されたセラミック／金属層が提供された金属ベース層支持面１１２を備えて構成されている。より詳細に説明するように、溶射された金属層は、潜在的なブレード先端９４の摩耗を減じるためにアブレイダブル面材料の断面を減じるように、溝、凹所またはリッジを有してもよい。
【０００７】
ブレード先端９４の早すぎる摩耗またはアブレイダブル面１２０との接触を防止するという要望に加え、図３に示したように、理想的な空気流およびパワー効率のために、各ブレード先端９４は、望ましくは、高圧ブレード側９６と低圧ブレード側９８との間および燃焼流れ方向Ｆで軸方向のブレード先端空気流漏れＬを最小限に減じるために、できるだけ小さなアブレイダブル構成部材１１０に対する均一なブレード先端間隙Ｇ（理想的にはゼロ間隙）を有する。しかしながら、製造および運転のトレードオフは、ゼロよりも大きなブレード先端間隙Ｇを要求する。このようなトレードオフは、相互に作用する構成部材の公差の積み重ねを含み、これにより、許容できる半径方向長さ公差の、より高い端部に構成されたブレードと、許容できる半径方向公差の、下側端部に構成されたアブレイダブル構成部材のアブレイダブル面１２０とが、運転中に過剰に互いに衝突しない。同様に、エンジン組立て中の小さな機械的整合ばらつきは、ブレード先端間隙の局所的ばらつきを生じる可能性がある。例えば、何メートルものタービンケーシングアブレイダブル基板１２０の内径を有する、何メートルもの軸方向長さのタービンエンジンにおいて、非常に小さな機械的整合ばらつきが、数ミリメートルの局所的ブレード先端間隙Ｇばらつきを生じる可能性がある。
【０００８】
タービンエンジン８０の運転中、タービンエンジンケーシング１００は、図４および図６に示したような、非円形（例えば卵形）の熱的ゆがみを生じ得る。エンジンは、パワーを発生するために燃焼させられ、その後、数千時間の発電後に保守のために冷却されるので、ケーシング１００の熱的ゆがみポテンシャルが、タービンエンジン８０の運転サイクルの間に増大する。一般的に、図６に示したように、より大きなケーシング１００およびアブレイダブル構成部材１１０のゆがみが、横方向で右１２４および左１２８の周方向位置（すなわち、３：００および９：００）と比較して、最も上側１２２および最も下側１２６のケーシング周方向位置（すなわち、６：００および１２：００位置）において生じる傾向がある。例えば、図４に示したように、６：００位置におけるケーシング歪みがアブレイダブル基板１２０とのブレード先端接触を生ぜしめるならば、ブレード先端のうちの１つまたは複数は運転中に摩耗されることがあり、ブレード先端間隙を、局所的に、タービンケーシング１００の様々な他のより変形させられてない周方向部分において、理想的な間隙Ｇから、図５に示したようなより大きな間隙ＧWへ増大させる。過剰なブレード間隙ＧWの歪みは、ブレード先端漏れＬを増大させ、高温燃焼ガスを、タービンブレード９２の翼から離れるように逸らせ、タービンエンジンの効率を低下させる。
【０００９】
過去には、平坦なアブレイダブル面基板１２０が利用され、ブレード先端間隙Ｇの仕様は、伝統的に、少なくとも最小限の全体的な間隙を提供するように選択され、これにより、タービン構成部材製造公差積み重ね、組立て整合ばらつきおよび熱的ゆがみの広い範囲においてブレード先端９４およびアブレイダブル面基板の接触を防止する。これにより、比較的広い伝統的な間隙Ｇの仕様が、先端／基板接触によって犠牲にされたエンジン効率を回避するように選択される。燃料保存のためにエンジン効率を高めるという商業的な要望は、より小さなブレード先端間隙Ｇの仕様を推進した。このブレード先端間隙Ｇの仕様は、好適には、２ｍｍ以下、望ましくは１ｍｍに近い。
【００１０】
ブレード先端／基板接触の可能性を減じるために、溶射された金属／セラミックアブレイダブル面を備える金属ベース層支持部を有するアブレイダブル構成部材は、図７〜図１１に示したような三次元の平面図形輪郭を備えて構成されている。図７および図１０の典型的な公知のアブレイダブル面構成部材１３０は、タービンケーシング１００に接続するための金属ベース層支持部１３１を有し、この金属ベース層支持部１３１には、溶射された金属／セラミック層が堆積させられており、かつ公知の堆積または除去材料加工法によって三次元リッジおよび溝輪郭に形成されている。特に、これらの引用された図面において、複数のリッジ１３２はそれぞれ、共通の高さＨRの遠位リッジ先端面１３４を有しており、この遠位リッジ先端面１３４は、ブレード先端９４と、遠位リッジ先端面１３４との間にブレード先端間隙Ｇを規定する。各リッジは、側壁１３５および１３６をも有する。側壁１３５および１３６は、基板表面１３７から延びており、連続するリッジの向き合った側壁の間に溝１３８を規定している。リッジ１３２は、連続するリッジの中心線の間に平行な間隔ＳRを備えて配置されており、溝幅ＷGを規定している。アブレイダブル構成部材の表面対称性により、溝深さＤGはリッジ高さＨRに対応する。中実平滑表面アブレイダブルと比較して、リッジ１３２は、より小さな断面を有し、かつブレード先端間隙Ｇがブレード先端９４を１つまたは複数の先端１３４と接触させるほど小さくなったときに、より制限された削り接触を有する。しかしながら、比較的高い、広い間隔のリッジ１３２は、従来の連続的な平坦なアブレイダブル面と比較して、リッジの間の溝１３８内へのブレード漏れＬを許容する。ブレード先端漏れＬを減じるための努力において、リッジ１３２および溝１３８は、燃焼流れＦ（図示せず）の方向に水平に、または、図７に示したようにアブレイダブル面１３７の幅を横切って対角に向けられており、これにより、漏れを阻止する傾向がある。図８に示されたその他の公知のアブレイダブル構成部材１４０は、溝１４８を十字形パターンに配置しており、平坦な、等しい高さのリッジ先端１４４を備えた菱形のリッジ平面図形１４２を画成している。付加的な公知のアブレイダブル構成部材は、図９および図１１に示された、三角形の丸みづけられたまたは平坦な先端の三角形リッジ１５２を使用している。図９および図１１のアブレイダブル構成部材１５０において、各リッジ１５２は、平坦なリッジ先端１５４において終わった対称的な側壁１５５，１５６を有する。全てのリッジ先端１５４は、共通の高さＨRを有し、基板表面１５７から突出している。溝１５８は、湾曲しており、ブレード先端９４の反り線と同じ平面図形輪郭を有する。湾曲した溝１５８は、図７および図８に示したようにアブレイダブル構成部材の線形溝１３８または１４８よりも、形成するのが困難である。
【００１１】
過去のアブレイダブル構成部材設計は、ブレード先端とアブレイダブル面との接触により生じるブレード先端摩耗と、タービンエンジン運転効率を低下させるブレード先端漏れとの大きな妥協を必要としていた。エンジン運転効率を最適化させることは、ブレード先端間隙を通過する空気漏れを妨げ、初期エンジン性能およびエネルギ保存を高めるために、減じられたブレード先端間隙および滑らかな一貫して平坦なアブレイダブル表面トポロジーを必要としていた。増大したガスタービン運転効率および柔軟性のための別の動機において、より急速なフルパワー増大（４０〜５０Ｍｗ／分のオーダ）を要求するいわゆる「急速始動」モードエンジンが構成された。急激な増大率は、より急速な熱的および機械的成長およびより大きなゆがみおよび回転構成部材と固定の構成部材との成長率のより大きな不適合により生じる、リングセグメントのアブレイダブルコーティング内へのブレード先端の潜在的なより大きな突入を悪化させた。これは、ひいては、「標準」始動サイクルのためにのみ構成されたエンジンのために要求されるブレード先端間隙よりも、早すぎるブレード先端摩耗を回避するために、「急速始動」モードエンジンにおいて、より大きなタービン先端間隙を必要としていた。したがって、設計選択として、より急速な始動／より低い運転効率のより大きなブレード先端間隙または標準始動／より大きな運転効率のより小さなブレード先端間隙をバランスさせることが必要とされていた。従来、標準または急速始動エンジンは、両設計の異なる必要とされるブレード先端間隙パラメータを提供するために、異なる構成を必要としていた。標準または急速始動方式にかかわらず、エンジン効率最適化のためにブレード先端間隙を減じることは、最終的に、早すぎるブレード先端摩耗のリスクを生じ、ブレード先端間隙を拡開させ、最終的に、エンジン運転サイクルの間の長期的なエンジン性能効率を低下させる。前記のセラミックマトリックス複合材（ＣＭＣ）のアブレイダブル構成部材設計は、ブレード先端摩耗を低減するために、より柔軟な上部アブレイダブル層を使用することによって、空気流制御の利点と、平坦な表面輪郭アブレイダブル面の小さなブレード先端間隙とを維持しようと努めた。米国特許出願公開第２００８／０２７４３３６号明細書のアブレイダブル構成部材も、上側層の中空セラミック球体の間に溝を組み入れることによって、ブレード先端摩耗を減じようと努めた。しかしながら、溝寸法は、本来、球体破壊を防止するために球体の詰込み間隔および直径によって制限されていた。リッジ先端とブレード先端との間の潜在的なこすれ接触表面積を減じながら、ブレード先端間隙を減じるための妥協的解決策として、溶射された基板輪郭に均一な高さのアブレイダブル表面リッジを付加することは、早すぎるブレード先端摩耗／増大するブレード先端間隙の可能性を低減したが、ただし、それはリッジの間の溝内への増大したブレード先端漏れという犠牲を払っていた。上述のように、溝内への漏れ空気流を遮断または制御することを試みるためにリッジ配列の平面図形における向きを変化させることによってブレード先端漏れ流を減じる試みがなされてきた。
【００１２】
発明の概要
本発明の様々な実施形態の目的は、ブレード先端摩耗を過剰に生ぜしめない形式で、構成部材公差積み重ね、組立て整合ばらつき、１つまたは複数のエンジン運転サイクルの間に進行するブレード／ケーシング変形などの要因によって生ぜしめられる局所的ばらつきにもかかわらずブレード先端間隙を低減および制御することによって、エンジン効率性能を高めることである。
【００１３】
アブレイダブル面とブレード先端とが互いに接触する局所的な摩耗ゾーンにおいて、本発明の様々な実施形態の目的は、これらのゾーンにおける最小限のブレード先端漏れを維持しかつこれらの局所的な摩耗ゾーンの外側に比較的狭いブレード先端間隙を維持しながらブレード先端摩耗を最小限に減じることである。
【００１４】
発明のその他の実施形態の目的は、潜在的に増大した数の局所的なブレード先端／アブレイダブル面接触ゾーンから生じ得る早すぎるブレード先端摩耗のリスクを過剰に生じることなくタービン運転効率を高めることである。
【００１５】
発明のさらに別の実施形態の目的は、エンジン運転中にアブレイダブル面浸食を補償するために、前方ゾーンにおいてより大きなアブレイダブルリッジ表面積を提供しながら、ブレード先端漏れを阻止および／または方向転換させる、アブレイダブル面のリッジおよび溝の複合的な別個の前方および後方輪郭および平面図形配列を利用することによって、ブレード先端漏れを減じることである。
【００１６】
付加的な実施形態の目的は、回転するタービンブレードに影響しないまたはタービンブレードを削らないように、削られた材料およびその他の粒子状物質を軸方向にタービンを通ってアブレイダブル面に沿って搬送するための溝チャネルを提供することである。
【００１７】
本発明の様々な実施形態において、タービンケーシングアブレイダブル構成部材は、タービンブレード翼高圧側から低圧側へではなく溝内へ下流へのブレード先端空気流漏れを低減、方向転換および／または遮断するために、明確な前方上流および後方下流複合マルチ方向溝と、鉛直方向に突出したリッジ平面図形パターンとを有する。平面図形パターン実施形態は、明確な前方上流（ゾーンＡ）および後方下流パターン（ゾーンＢ）を有する複合マルチ溝／リッジパターンである。これらの組み合わされたゾーンＡおよびゾーンＢリッジ／溝配列平面図形は、局所的なブレード漏れ方向Ｌでのタービンブレード翼の圧力側から翼の吸込側へ向かってガス流漏れを直接に妨害するために、溝内に捕捉されたガス流を下流燃焼流Ｆ方向へ方向付ける。前方ゾーンは、概して、前縁と、タービン８０の軸線に対して平行な線が、翼の圧力側表面に対してほぼ接線方向であるカットオフポイントにおけるブレード翼の弦中間との間に規定されており、ほぼ翼の軸方向全長の３分の１〜２分の１である。配列パターンの残りは、後方ゾーンＢを含む。後方下流ゾーンＢの溝およびリッジは、ブレード回転方向Ｒとは反対方向に角度を成して配向されている。角度の範囲は、関連するタービンブレード９２の反り線または後縁角度の約３０％〜１２０％である。幾つかの実施形態では、上流または前方ゾーンＡのリッジ／溝配列の平面図形は、エンジン運転中に生じる、より大きなアブレイダブル浸食を補償するために、下流または構造ゾーンＢのリッジ／溝平面図形よりも、より大きなアブレイダブル表面積を有する。
【００１８】
他の様々な実施形態では、アブレイダブル構成部材は、第１の下側摩耗ゾーンと第２の上側摩耗ゾーンとを有する鉛直方向に突出したリッジまたはリブを備えて構成されている。アブレイダブル面の近くのリッジの第１の下側ゾーンは、リッジの間の溝内へのブレード先端空気流漏れを低減、方向転換および／または遮断するように調節された平面図形配列および突出部によって、エンジン空気流特性を最適化するように構成されている。リッジの下側ゾーンは、アブレイダブル構成部材および表面の機械的および熱的構造的一体性、熱的抵抗性、熱的耐腐食性および摩耗寿命を高めるように最適化されてもいる。リッジ上側ゾーンは、下側ゾーンの上方に形成されており、下側ゾーンよりも容易に削れやすくすることによって、ブレード先端間隙および摩耗を最小限にするように最適化されている。アブレイダブル構成部材の様々な実施形態は、下側ゾーンリブ構造よりも小さな断面積を有する上側サブリッジまたは尖端を備える上側ゾーンのより容易な削りやすさを提供する。幾つかの実施形態では、上側サブリッジまたは尖端は、小さなブレード先端接触の際に曲がるか、さもなければたわむようにおよび／またはより大きなブレード先端接触の際には摩耗および／またはせん断するように形成されている。他の実施形態では、上側ゾーンサブリッジまたは尖端は、１つまたは複数のブレード先端と局所的に接触したこれらの尖端のみが摩耗され、局所的な摩耗ゾーンの外側の他のものはそのままにとどまるように、上側摩耗ゾーンの配列にピクセル化されている。リッジの上側ゾーン部分は摩耗されるが、上側ゾーン部分は、従来公知のモノリシックリッジよりもブレード先端摩耗を生じにくい。本発明の幾つかの実施形態では、上側ゾーンリッジ部分が摩耗されたとき、残りの下側リッジ部分は、ブレード先端漏れを制御することによってエンジン効率を保持する。局所的なブレード先端間隙がさらに減じられた際、ブレード先端は、その位置における下側リッジ部分を摩耗させる。しかしながら、その下側リッジ部分の局所的な摩耗領域の外側の比較的高いリッジは、エンジン性能効率を保持するために、より小さなブレード先端間隙を維持する。付加的に、マルチレベル摩耗ゾーン輪郭により、１つのタービンエンジン設計が、標準または「急速始動」モードで運転されることができる。急速始動モードで運転される場合、エンジンは、下側摩耗ゾーン空力機能を保存しながら、過剰ブレード先端摩耗のより少ない可能性とともに、上側摩耗ゾーン層を摩耗する傾向を有する。同じエンジンが標準始動モードで運転される場合、アブレイダブル上側および下側摩耗ゾーンの両方が効率的なエンジン運転のために保存されるさらに高い可能性が存在する。３つ以上の層から成る摩耗ゾーン（例えば、上側、中間および下側の摩耗ゾーン）を、本発明の実施形態に従って構成されたアブレイダブル構成部材において使用することができる。
【００１９】
幾つかの発明実施形態では、リッジおよび溝の輪郭および平面図形配列のアブレイダブル表面積は、ブレード先端漏れを低減するように選択された選択的な向き角度および／または横断面輪郭を備えた多層溝を形成することなどによって、アブレイダブル構成部材にわたって局所的にまたは全体的に調整されている。幾つかの実施形態では、アブレイダブル構成部材表面平面図形配列およびリッジおよび溝の輪郭は、向上したブレード先端漏れ空気流制御を提供するが、公知のアブレイダブル構成部材よりも単純な製造技術をも促進する。
【００２０】
これらのおよびその他の提案された課題のうちの幾つかは、本発明の１つまたは複数の実施形態において、タービンアブレイダブル構成部材であって、回転タービンブレード先端周方向移動軌道と向き合った向きでタービンケーシングの内周に結合されるように適応されたタービンエンジンリングセグメントアブレイダブル構成部材を特徴とするタービンアブレイダブル構成部材によって達成される。対応するブレード先端は、回転方向と、前縁と、対応するタービンブレード回転軸線に対して表面接線がほぼ平行である、圧力側凹面上の弦中間カットオフポイントと、後縁と、を有する。構成部材は、タービンブレード回転軸線を包囲するタービンケーシング内周に結合されるように適応された支持面を有する。支持面は、上流および下流端部と、対応するタービンブレード回転軸線に対して平行な向きになるように適応された支持面軸線とを有する。アブレイダブル基板は、支持面に結合されており、移行部分によって結合された一対の前方および後方の線形セグメント部分によって規定された、溝および鉛直に突出するリッジの合成角平面図形パターンを備える基板表面を有する。それぞれの前方線形セグメント部分は、支持面上流端部の近くで始まっており、支持面軸線に対して±１０度の範囲または角度で配向されている。幾つかの実施形態では、前方線形セグメント部分は、支持面軸線に対してほぼ平行である。前方線形セグメント部分は、意図されたタービンブレード弦中間カットオフポイントの、移動軌道の半径方向および軸方向の投影された位置の上流の支持面端部の間において終了する。各後方線形セグメント部分は、タービンブレード弦中間カットオフポイントの下流で始まり、支持面下流端部の近くで終わりながら、対応するタービンブレード回転方向とは反対に角度方向に向けられている。前方線形セグメント部分における前方リッジは、後方線形セグメント部分における後方リッジよりも、より大きな表面積密度を有する。より大きな前方端部密度を有するアブレイダブル面を形成するために、幾つかの実施形態では、前方リッジは後方リッジよりも幅広である。本発明の幾つかの実施形態では、移行セクションリッジおよび溝は、湾曲した平面図形を規定している。他の実施形態では、リッジは、支持面に対して傾斜させられた遠位突出先端を有する。
【００２１】
本発明のその他の実施形態は、タービンハウジングと、タービンハウジングに回転可能に取り付けられたブレードを備えるロータであって、ブレードの遠位先端は、ブレード回転方向でかつタービンハウジングに関して軸方向でブレード先端周方向移動軌道を形成している、ロータと、を特徴とするタービンエンジンに関する。ブレード先端は、前縁と、表面接線が、対応するタービンブレード回転軸線に対してほぼ平行である、圧力側凹面における弦中間カットオフポイントと、後縁とを有する。本発明の実施形態は、タービンブレード回転軸線を包囲するタービンハウジング内周に結合されるように適応された支持面を有するアブレイダブル構成部材を特徴とする。支持面は、上流および下流端部と、タービンブレード回転軸線に対して平行な向きになるように適応された支持面軸線とを有する。これらの実施形態では、アブレイダブル基板は、支持面に結合されており、移行部分によって結合された一対の前方および後方の線形セグメント部分によって規定された、溝および鉛直に突出するリッジの合成角平面図形パターンを備える基板表面を有する。各前方線形セグメント部分は、支持面上流端部の近くで始まり、支持面軸線に対して±１０度の範囲または角度で配向されており、意図されたタービンブレード弦中間カットオフポイントの、移動軌道の半径方向および軸方向の投影された位置の上流の支持面端部の間で終了する。各後方線形セグメント部分は、意図されたタービンブレード弦中間カットオフポイントの下流で始まり、対応するタービンブレード回転方向とは反対に角度方向に配向されており、支持面下流端部の近くで終了する。前方線形セグメント部分における前方リッジは、後方線形セグメント部分における後方リッジよりも、より大きな表面積密度を有する。
【００２２】
本発明のそれぞれの目的および特徴は、当業者によって、あらゆる組合せまたは準組合せにおいて共同でまたは複数で適用することができる。
【００２３】
本発明の教示は、添付の図面に関連した以下の詳細な説明を考察することによって容易に理解することができる。
【図面の簡単な説明】
【００２４】
【図１】典型的な公知のガスタービンエンジンの部分的な軸方向の断面図である。
【図２】図１のタービンエンジンのブレード先端部とアブレイダブル構成部材との間のブレード先端間隙Ｇを示す、第１列タービンブレードおよびベーンの詳細な断面立面図である。
【図３】全てのブレードと、エンジンアブレイダブル面を中心とする全ての周方向の向きとの間の、理想的な均一なブレード先端間隙Ｇを有する、公知のタービンエンジンの半径方向断面概略図である。
【図４】１２：００の最も上側の周方向位置と、６：００の最も下側の周方向位置とにおける、ブレード先端とアブレイダブル面との接触を示す、円形ではない公知のタービンエンジンの半径方向断面概略図である。
【図５】元々の設計仕様ブレード先端間隙Ｇよりも大きな過剰ブレード先端間隙ＧWを有しながら作動させられた公知のタービンエンジンの半径方向断面概略図である。
【図６】ブレード先端摩耗をより生じやすい周方向ゾーンと、ブレード先端摩耗をより生じにくいゾーンとを強調した、公知のタービンエンジンの半径方向断面概略図である。
【図７】タービンエンジンアブレイダブル面のための公知のリッジおよび溝パターンの平面図である。
【図８】タービンエンジンアブレイダブル面のための公知のリッジおよび溝パターンの平面図である。
【図９】タービンエンジンアブレイダブル面のための公知のリッジおよび溝パターンの平面図である。
【図１０】図７および図９のそれぞれの断面Ｃ−Ｃに沿って見たタービンエンジンアブレイダブル面のための公知のリッジおよび溝パターンの断面立面図である。
【図１１】図７および図９のそれぞれの断面Ｃ−Ｃに沿って見たタービンエンジンアブレイダブル面のための公知のリッジおよび溝パターンの断面立面図である。
【図１２】タービンブレードの概略的な重なりと共に示す、本発明の典型的な実施形態による、タービンエンジンアブレイダブル面の「ホッケースティック」状のリッジおよび溝パターンの平面図である。
【図１３】タービンブレードの概略的な重なりと共に示す、本発明の典型的な実施形態による、タービンエンジンアブレイダブル面の「ホッケースティック」状のリッジおよび溝パターンの平面図である。
【図１４】タービンブレードの概略的な重なりと共に示す、本発明の典型的な実施形態による、タービンエンジンアブレイダブル面の「ホッケースティック」状のリッジおよび溝パターンの平面図である。
【図１５】タービンブレードの概略的な重なりと共に示す、本発明の典型的な実施形態による、タービンエンジンアブレイダブル面の「ホッケースティック」状のリッジおよび溝パターンの平面図である。
【図１６】タービンブレードの概略的な重なりと共に示す、本発明の典型的な実施形態による、タービンエンジンアブレイダブル面の「ホッケースティック」状のリッジおよび溝パターンの平面図である。
【図１７】タービンブレードの概略的な重なりと共に示す、本発明の典型的な実施形態による、タービンエンジンアブレイダブル面の「ホッケースティック」状のリッジおよび溝パターンの平面図である。
【図１８】本発明の別の典型的な実施形態による、タービンブレード回転方向と一致した、鉛直方向に向けられたリッジまたはリブ配列を有するタービンエンジンアブレイダブル面のための別の「ホッケースティック」状リッジおよび溝と、タービンブレードの概略的な重なりとの、平面図である。
【図１９】本発明の別の典型的な実施形態による、タービンブレード回転方向と一致した、鉛直方向に向けられたリッジまたはリブ配列を有するタービンエンジンアブレイダブル面のための別の「ホッケースティック」状リッジおよび溝と、タービンブレードの概略的な重なりとの、平面図である。
【図２０】図１２〜図１７に示されたタイプのそれぞれの典型的な連続溝ホッケースティックアブレイダブル面輪郭と、図１８および図１９に示されたタイプの、中断する鉛直リッジホッケースティックアブレイダブル面輪郭を備えたスプリット溝とのための、前縁から後縁までのシミュレーションされたブレード先端漏れ質量フラックスの比較グラフである。
【図２１】本発明の別の典型的な実施形態による、交差するリッジおよび溝を有する、アブレイダブル面のための別の「ホッケースティック」状リッジおよび溝パターと、タービンブレードの概略的な重なりとの平面図である。
【図２２】本発明の別の典型的な実施形態による、タービンエンジンの軸流方向でアブレイダブル面を横切って横方向にずらされた鉛直方向に向けられたリッジを有する、図１８および図１９と同様の、アブレイダブル面のための別の「ホッケースティック」状リッジおよび溝パターンの平面図である。
【図２３】本発明の別の典型的な実施形態による、タービンエンジンの軸流方向においてアブレイダブル面を横切って水平に向けられたリッジおよび溝配列を有する、アブレイダブル面のための「ジグザグ」状リッジおよび溝パターンの平面図である。
【図２４】本発明の別の典型的な実施形態による、アブレイダブル面を横切って対角に向けられたリッジおよび溝配列を有する、アブレイダブル面のための「ジグザグ」状リッジおよび溝パターンの平面図である。
【図２５】本発明の別の典型的な実施形態による、アブレイダブル面を横切ってＶ字形リッジおよび溝配列を有する、アブレイダブル面のための「ジグザグ」状リッジおよび溝パターンの平面図である。
【図２６】タービンブレードの概略的な重なりと共に示す、本発明の典型的な実施形態による、タービンエンジンアブレイダブル面の重ね合わされたループ状のリッジおよび溝パターンの平面図である。
【図２７】タービンブレードの概略的な重なりと共に示す、本発明の典型的な実施形態による、タービンエンジンアブレイダブル面の重ね合わされたループ状のリッジおよび溝パターンの平面図である。
【図２８】タービンブレードの概略的な重なりと共に示す、本発明の典型的な実施形態による、タービンエンジンアブレイダブル面の重ね合わされたループ状のリッジおよび溝パターンの平面図である。
【図２９】タービンブレードの概略的な重なりと共に示す、本発明の典型的な実施形態による、タービンエンジンアブレイダブル面の重ね合わされたループ状のリッジおよび溝パターンの平面図である。
【図３０】タービンブレードの概略的な重なりと共に示す、本発明の典型的な実施形態による、タービンエンジンアブレイダブル面の迷路または螺旋状のリッジおよび溝パターンの平面図である。
【図３１】タービンブレードの概略的な重なりと共に示す、本発明の典型的な実施形態による、タービンエンジンアブレイダブル面の迷路または螺旋状のリッジおよび溝パターンの平面図である。
【図３２】タービンブレードの概略的な重なりと共に示す、本発明の典型的な実施形態による、タービンエンジンアブレイダブル面の迷路または螺旋状のリッジおよび溝パターンの平面図である。
【図３３】タービンブレードの概略的な重なりと共に示す、本発明の典型的な実施形態による、タービンエンジンアブレイダブル面の迷路または螺旋状のリッジおよび溝パターンの平面図である。
【図３４】本発明の別の典型的な実施形態による、タービンエンジンアブレイダブル面のための湾曲リブ移行セクション構成リッジおよび溝パターンを備える複合的な角度と、タービンブレードの概略的な重なりとの平面図である。
【図３５】本発明の別の典型的な実施形態による、タービンエンジンアブレイダブル面のための湾曲リブ移行セクション構成リッジおよび溝パターンを備える複合的な角度と、タービンブレードの概略的な重なりとの平面図である。
【図３６】本発明の図３４および図３５のタイプの湾曲リブ移行セクション構成リッジおよび溝パターンアブレイダブル面を備えるそれぞれの典型的な複合的な角度、図７に示されたタイプの典型的な公知の対角リッジおよび溝パターン、および公知の軸方向に整列したリッジおよび溝パターンアブレイダブル面のアブレイダブル面輪郭のための前縁から後縁までのシミュレーションされたブレード先端漏れ質量フラックスの比較グラフである。
【図３７】本発明の典型的な実施形態による、標準的または「急速始動」エンジンモードにおいて使用するのに適した、アブレイダブル面のための複数高さリッジ輪郭構成および対応する溝パターンの平面図である。
【図３８】図３７のＣ−Ｃに沿って見た図３７のアブレイダブル面実施形態の断面図である。
【図３９】本発明の実施形態によるブレード先端漏れＬとブレード先端境界層流れとを示す、図３７および図３８の移動するブレード先端部およびアブレイダブル面実施形態の概略的な立面断面図である。
【図４０】本発明の実施形態によるブレード先端間隙Ｇ、溝およびリッジの複数高さ寸法を示す、図３９と同様の概略的な立面断面図である。
【図４１】本発明の実施形態によるブレード先端間隙Ｇ、溝およびリッジの複数高さ寸法を示す、図３９と同様の概略的な立面断面図である。
【図４２】図１１と同様の公知のアブレイダブル面リッジおよび溝輪郭の立面断面図である。
【図４３】本発明の実施形態による、アブレイダブル面のための複数高さ段状輪郭リッジ構成および対応する溝パターンの立面断面図である。
【図４４】アブレイダブル面のための複数高さ段状輪郭リッジ構成および対応する溝パターンの別の実施形態の立面断面図である。
【図４５】本発明の実施形態による、アブレイダブル面のための複数深さ溝輪郭構成および対応するリッジパターンの立面断面図である。
【図４６】本発明の実施形態による、アブレイダブル面のための非対称輪郭リッジ構成および対応する溝パターンの立面断面図である。
【図４７】本発明の実施形態による、アブレイダブル面のための非対称輪郭リッジ構成および複数深さ平行溝輪郭パターンの透視図である。
【図４８】本発明の実施形態による、アブレイダブル面のための非対称輪郭リッジ構成および複数深さ交差溝輪郭パターンの透視図であり、上側の溝はリッジ先端部に対して長手方向に先端づけされている。
【図４９】アブレイダブル面のための非対称輪郭リッジ構成および複数深さ交差溝輪郭パターンの、本発明の別の実施形態の透視図であり、上側の溝はリッジ先端部に対して垂直でありかつ長手方向に傾斜させられている。
【図５０】本発明の別の実施形態による、アブレイダブル面のための対称輪郭リッジにおける複数深さ平行溝輪郭構成の断面の立面断面図である。
【図５１】本発明の１つの実施形態による、アブレイダブル面のための対称輪郭リッジにおける複数深さ平行溝輪郭構成のそれぞれの立面断面図であり、上側の溝はリッジ先端部に対して横方向に傾斜させられている。
【図５２】本発明の１つの実施形態による、アブレイダブル面のための対称輪郭リッジにおける複数深さ平行溝輪郭構成のそれぞれの立面断面図であり、上側の溝はリッジ先端部に対して横方向に傾斜させられている。
【図５３】非対称で非平行の壁リッジおよび複数深さ溝を有する、本発明の実施形態によるアブレイダブル面の透視図である。
【図５４】本発明の代替的な実施形態による、アブレイダブル面のための台形輪郭リッジにおける複数深さ平行溝輪郭構成のそれぞれの立面断面図であり、上側の溝はリッジ先端部に対して垂直であるまたは横方向に傾斜させられている。
【図５５】本発明の代替的な実施形態による、アブレイダブル面のための台形輪郭リッジにおける複数深さ平行溝輪郭構成のそれぞれの立面断面図であり、上側の溝はリッジ先端部に対して垂直であるまたは横方向に傾斜させられている。
【図５６】本発明の代替的な実施形態による、アブレイダブル面のための台形輪郭リッジにおける複数深さ平行溝輪郭構成のそれぞれの立面断面図であり、上側の溝はリッジ先端部に対して垂直であるまたは横方向に傾斜させられている。
【図５７】本発明の実施形態による、アブレイダブル面のためのマルチレベル交差溝パターンの平面図である。
【図５８】本発明の１つの実施形態による、段状輪郭アブレイダブル面リッジの透視図であり、上側レベルリッジは、下側リッジ平坦部から突出したピクセル状に起立したリブの尖端を有する。
【図５９】図５８のＣ−Ｃに沿って見た、下側リッジ平坦部から突出したピクセル状の起立した尖端の列の立面図である。
【図６０】本発明の１つの実施形態による、図５９の起立した尖端の代替的な実施形態であり、尖端先端部の近位の尖端部分は、層の下方の材料とは異なる物理的特性を有する材料の層から構成されている。
【図６１】図５８のピクセル状上側尖端実施形態の概略的な平面図であり、タービンブレード先端は、ブレード回転中に尖端をたわませる。
【図６２】図５８のピクセル状の上側尖端実施形態の概略的な立面図であり、タービンブレード先端部はブレード回転中に、起立した尖端の全部または一部をせん断し、下側リッジおよびその平坦部をそのままに残し、ブレード先端間隙によってブレード先端から半径方向に間隔を置かれている。
【図６３】図５８のピクセル状上側尖端実施形態の概略的な立面図であり、タービンブレード先端部は、ブレード回転中に、起立する尖端の全部をせん断し、下側リッジ部分の平坦部面を摩耗させている。
【図６４】本発明の別の典型的な実施形態による、一定のリッジ／溝間隔またはピッチと、変化したリッジ幅とを備える、図３４および図３５の実施形態と同様の、タービンエンジンアブレイダブルのための湾曲したリブ移行セクション構成リッジおよび溝パターンを備える合成角の平面図または平面図形である。
【図６５】本発明の代替的な実施形態による、リッジ先端に対して垂直なまたは横方向に傾斜させられた上側溝を備えない、図５４〜図５６のものと同様の、アブレイダブル面のための台形輪郭リッジにおける平行な溝輪郭構成の正面断面図である。
【図６６】本発明の実施形態による、アブレイダブル面のための傾斜したリッジ先端面を備える（幾つかは傾斜した溝ベース面も備える）、非対称輪郭のリッジ構成および対応する溝パターンの正面断面図である。
【図６７】本発明の実施形態による、アブレイダブル面のための傾斜したリッジ先端面を備える（幾つかは傾斜した溝ベース面も備える）、非対称輪郭のリッジ構成および対応する溝パターンの正面断面図である。
【図６８】本発明の実施形態による、アブレイダブル面のための傾斜したリッジ先端面を備える（幾つかは傾斜した溝ベース面も備える）、非対称輪郭のリッジ構成および対応する溝パターンの正面断面図である。
【図６９】本発明の実施形態による、アブレイダブル面のための傾斜したリッジ先端面を備える（幾つかは傾斜した溝ベース面も備える）、非対称輪郭のリッジ構成および対応する溝パターンの正面断面図である。
【図７０】本発明の実施形態による、アブレイダブル面のための標準または「急速始動」エンジンモードにおける仕様に適した、アブレイダブル面のための、ブレード回転方向とは反対方向に傾斜された（幾つかは傾斜した溝ベース面も備える）、複数高さの逆角度側壁を備える非対称輪郭リッジ構成の正面断面図である。
【図７１】本発明の実施形態による、アブレイダブル面のための標準または「急速始動」エンジンモードにおける仕様に適した、アブレイダブル面のための、ブレード回転方向とは反対方向に傾斜された（幾つかは傾斜した溝ベース面も備える）、複数高さの逆角度側壁を備える非対称輪郭リッジ構成の正面断面図である。
【００２５】
理解を容易にするために、複数の図面に共通の同じ要素を示すために、可能である場合には、同じ参照符号が使用されている。図面は実寸ではない。寸法、断面、流体流れ、タービンブレード回転、軸方向または半径方向の向き、および流体圧力のための以下の共通の符号は、本明細書において説明される様々な本発明の実施形態を通じて使用されている。
Ａ  アブレイダブル面の前方または上流ゾーン
Ｂ  アブレイダブル面の後方または下流ゾーン
Ｃ−Ｃ  アブレイダブル断面
ＤG  アブレイダブル溝深さ
Ｆ  タービンエンジンを通る流れ方向
Ｇ  タービンブレード先端とアブレイダブル面との間の間隙
ＧW  摩耗したタービンブレード先端とアブレイダブル面との間の間隙
ＨR  アブレイダブルリッジ高さ
Ｌ  タービンブレード先端漏れ
Ｐ  アブレイダブル面の平面図または平面図形
ＰP  タービンブレードのより高圧の側
ＰS  タービンブレードのより低圧の側または吸込側
Ｒ  タービンブレード回転方向
Ｒ1  タービンエンジンタービンセクションの第１列
Ｒ2  タービンエンジンタービンセクションの第２列
ＳR  ピッチとも呼ばれる、アブレイダブルリッジ中心線の間隔
ＷG  アブレイダブル溝の幅
ＷR  アブレイダブルリッジの幅
α  タービンエンジンの軸方向寸法に対するアブレイダブル溝の平面図形角度
β  鉛直または垂直なアブレイダブル面に対するアブレイダブルリッジ側壁の角度
γ  アブレイダブルリッジ高さに対するアブレイダブル溝の前後傾斜角
Δ  アブレイダブルリッジの長手方向軸線に対するアブレイダブル溝のスキュー角
ε  アブレイダブル面および／またはリッジ面に対するアブレイダブル溝のスキュー角
Φ  アブレイダブル溝の円弧角
【００２６】
詳細な説明
本明細書に記載された本発明の典型的な実施形態は、ガスタービンエンジンを含むタービンエンジン用のアブレイダブル構成部材において容易に利用することができる。様々な実施形態において、タービンケーシングアブレイダブル構成部材は、タービンブレード翼高圧側から低圧側へではなく溝内へ下流へのブレード先端空気流漏れを低減、方向転換および／または遮断するために、明確な前方上流および後方下流複合マルチ方向溝と、鉛直方向に突出したリッジプラットフォームパターンとを有する。平面図形パターン実施形態は、明確な前方上流（ゾーンＡ）および後方下流パターン（ゾーンＢ）を有する複合マルチ溝／リッジパターンである。これらの組み合わされたゾーンＡおよびゾーンＢリッジ／溝配列の平面図形は、局所的なブレード漏れ方向Ｌでのタービン翼圧力側から翼の吸込側へ向かってガス流漏れを直接に妨害するために、溝内に捕捉されたガス流を下流燃焼流Ｆ方向へ方向付ける。前方ゾーンは、概して、前縁と、タービン軸線に対して平行な線が、翼の圧力側表面に対してほぼ接線方向であるカットオフポイントにおけるブレード翼の弦中間との間に規定されており、ほぼ翼の軸方向全長の３分の１〜２分の１である。配列パターンの残りは、後方ゾーンＢを含む。幾つかの実施形態では、前方上流ゾーンＡの溝およびリッジは、支持表面軸線またはエンジン内のブレード回転軸線に対して±１０度の角度の範囲で配向されている。特に、幾つかの実施形態は、前方ゾーンＡの溝およびリッジを支持表面／ブレード回転軸線に対して平行に向けている。後方下流ゾーンＢの溝およびリッジは、ブレード回転方向Ｒとは反対方向に角度を成して配向されている。角度の範囲は、関連するタービンブレード９２の反り線または後縁角度の約３０％〜１２０％である。幾つかの実施形態では、エンジン運転中にアブレイダブル浸食のより大きな可能性が存在するが、前方ゾーンにおいてはブレード先端侵入のより低い可能性が存在するような用途のために、前方ゾーンＡのリッジは、後方ゾーンにおけるリッジよりも、大きな表面積密度と小さな削りやすさとを有している。逆に、後方ゾーンＢにおいては、コーティング浸食がより問題ではないが、エンジン運転中にブレード／アブレイダブルコーティング接触のより大きな可能性が存在するような用途では、前方ゾーンにおける密度よりも低いリッジ表面積密度と、より高い削りやすさとを有することがより望ましい。アブレイダブル面の密度が変化する構成は、前方ゾーンＡにおいて所望のブレード先端間隙を維持するために十分なアブレイダブル材料を有し、進行しているエンジン運転中にそのゾーンにおけるアブレイダブル面浸食を補償し、さらに、タービンブレード先端摩耗の可能性を減じるために、後方ゾーンＢにおける表面密度を減じることによって、妥協を提供する。幾つかの用途では、単独でまたはリッジ／リブ表面積密度を変化させることと組み合わせて、前方および後方ゾーンにおける構成部材アブレイダブル材料の削りやすさ特性を変化させることが望ましい。
【００２７】
本発明の様々な実施形態では、アブレイダブル構成部材の溶射されたまたは付加的に形成されたセラミック／金属のアブレイダブル層が、第１の下側摩耗ゾーンと第２の上側摩耗ゾーンとを有する鉛直方向に突出したリッジまたはリブを備えて構成されている。溶射されたアブレイダブル面の近くのリッジの第１の下側ゾーンは、リッジの間の溝内へのブレード先端空気流漏れを低減、方向転換および／または遮断するように調節された平面図形配列および突出部によって、エンジン空気流特性を最適化するように構成されている。幾つかの実施形態では、溶射されたアブレイダブル層の上側摩耗ゾーンは、下側摩耗ゾーンの高さまたはリッジ全高の約３分の１〜３分の２である。リッジおよび溝は、ブレード先端漏れ流を方向転換するためにおよび／または製造を容易にするために、可変の対称的および非対称の横断面輪郭および平面図形配列を備える、溶射されたアブレイダブル層に構成されている。幾つかの実施形態では、溝幅は、リッジ幅または（マルチ幅積層リッジが設けられているならば）下側リッジ幅の約３分の１〜３分の２である。様々な実施形態では、リッジの下側ゾーンは、アブレイダブル構成部材および表面の機械的および熱的構造的一体性、熱的抵抗性、熱的耐腐食性および摩耗寿命を高めるように最適化されてもいる。リッジ上側ゾーンは、下側ゾーンの上方に形成されており、下側ゾーンよりも容易に削れやすくすることによって、ブレード先端間隙および摩耗を最小限にするように最適化されている。溶射されたアブレイダブル層のアブレイダブル構成部材の様々な実施形態は、下側ゾーンリブ構造よりも小さな断面積を有する上側サブリッジまたは尖端を備える上側ゾーンのより容易な削りやすさを提供する。幾つかの実施形態では、上側サブリッジまたは尖端は、小さなブレード先端接触の際に曲がるか、さもなければたわむようにおよび／またはより大きなブレード先端接触の際には摩耗および／またはせん断するように形成されている。他の実施形態では、上側ゾーンサブリッジまたは尖端は、１つまたは複数のブレード先端と局所的に接触したこれらの尖端のみが摩耗され、局所的な摩耗ゾーンの外側の他のものはそのままにとどまるように、上側摩耗ゾーンの配列にピクセル化されている。リッジの上側ゾーン部分は摩耗されるが、上側ゾーン部分は、従来公知のモノリシックリッジよりもブレード先端摩耗を生じにくい。本発明の幾つかの実施形態では、上側ゾーンリッジ部分が摩耗されたとき、残りの下側リッジ部分は、ブレード先端漏れを制御することによってエンジン効率を保持する。局所的なブレード先端間隙がさらに減じられた際、ブレード先端は、その位置における下側リッジ部分を摩耗させる。しかしながら、その下側リッジ部分の局所的な摩耗領域の外側の比較的高いリッジは、エンジン性能効率を保持するために、より小さなブレード先端間隙を維持する。３つ以上の層から成る摩耗ゾーン（例えば、上側、中間および下側の摩耗ゾーン）を、本発明の実施形態に従って構成されたアブレイダブル構成部材において使用することができる。
【００２８】
幾つかの発明実施形態では、溶射されたまたは付加的に形成されたアブレイダブル層におけるリッジおよび溝輪郭および平面図形配列は、ブレード先端漏れを低減しかつリッジ横断面を変化させるように選択された選択的な配向角度および／または横断面輪郭を有する多層溝を形成することによって、アブレイダブル構成部材にわたって局所的にまたは全体的に調整されている。幾つかの実施形態では、アブレイダブル構成部材表面平面図形配列およびリッジおよび溝の輪郭は、向上したブレード先端漏れ空気流制御を提供するが、公知のアブレイダブル構成部材よりも単純な製造技術をも促進する。
【００２９】
幾つかの実施形態では、アブレイダブル構成部材およびそのアブレイダブル面は、公知の組成の、多層の溶射されたまたは付加的に形成されたセラミック材料から、金属支持層における公知の層パターン／寸法で構成されている。幾つかの実施形態では、リッジは、（マスクなしでまたはマスクを介した）溶融した粒子の溶射、層プリント（例えば、３Ｄプリンティング、焼結、電子またはレーザビーム堆積）、または（下側に位置する付加的な支持構造を用いてまたは用いずに）セラミックまたは金属／セラミック材料を金属基板に提供することなどの、公知の付加プロセスによって、アブレイダブル面に構成されている。溝は、隣接する付加されたリッジ構造の間の空所に形成されている。他の実施形態では、溝は、公知のプロセス（例えば機械加工、研削、水ジェットまたはレーザ切断またはこれらのいずれかの組み合わせ）を用いて、溶射された基板から材料を削るまたは除去することによって形成されており、溝の壁部は、別個のリッジを形成している。付加されたリッジおよび／または除去された材料溝の組み合わせは、本明細書に記載された実施形態において使用されてもよい。アブレイダブル構成部材は、タービンエンジンケーシングに結合するように適応された公知の支持構造と、ボンドコーティングベース、サーマルコーティング、および耐熱性トップコーティングの１つまたは複数の層などの公知のアブレイダブル面材料塑性とを備えて構成されている。例えば、上側摩耗ゾーンは、この上側摩耗ゾーンのすぐ下側における別の溶射された層またはその他のシーケンシャル層とは異なる塑性および物理的特性を有する、溶射されたまたは付加的に形成されたアブレイダブル材料から構成することができる。
【００３０】
様々な溶射された、金属支持層アブレイダブル構成部材リッジおよび溝輪郭および本明細書に記載された溝およびリッジの配列は、本発明の実施形態および特徴の全ての可能な組み合わせが本明細書に詳細に明確に説明されていないとしても、種々のタービン用途の性能要求を満足させるように組み合わせることができる。
【００３１】
アブレイダブル面平面図形
典型的な本発明の実施形態のアブレイダブル面リッジおよび溝平面図形パターンが、図１２〜図３７および図５７に示されている。アブレイダブル面全体を横切って均一な公知のアブレイダブル平面図形パターンとは異なり、本発明の平面図形パターン実施形態の多くは、明確な前方上流（ゾーンＡ）および後方下流パターン（ゾーンＢ）を有する複合マルチ溝／リッジパターンである。これらの組み合わされたゾーンＡおよびゾーンＢリッジ／溝配列平面図形は、局所的なブレード漏れ方向Ｌでのタービン翼圧力側から翼の吸込側へ向かうガス流漏れを直接に妨害するために、溝内に捕捉されたガス流を下流燃焼流Ｆ方向へ方向付ける。前方ゾーンは、概して、前縁と、タービン８０の軸線に対して平行な線が、翼の圧力側表面に対してほぼ接線方向であるカットオフポイントにおけるブレード９２の翼の弦中間との間に規定されている。より全体的な概要透視図から、前方ゾーンＡの軸方向長さは、概して、翼の軸方向全長の約３分の１〜２分の１として規定されている。配列パターンの残りは、後方ゾーンＢを含む。本発明の実施形態に従って、３つ以上の軸方向に向けられた平面図形配列を構成することができる。例えば、アブレイダブル構成部材表面に、前方、中間および後方のリッジ／溝配列平面図形を構成することができる。
【００３２】
図１２〜１９、２１、２２、３４、３５、３７および５７に示された実施形態は、ホッケースティック状平面図形パターンを有する。前方上流ゾーンＡの溝およびリッジは、タービン８０内の燃焼ガス軸流方向Ｆに対してほぼ平行（±１０％）に整列させられている（図１参照）。後方下流ゾーンＢの溝およびリッジは、ブレード回転方向Ｒとは反対方向に角度を成して配向されている。角度の範囲は、関連するタービンブレード９２の反り線または後縁角度の約３０％〜１２０％である。設計上の都合のために、下流角度選択は、タービンブレード高圧または低圧平均（線形平均線）側壁表面または反り角度（例えば、ゾーンＢにおいて始まり、ブレード後縁において終わる高圧側における図１４の角度αB2を参照）、後縁角度（例えば、図１５の角度αB1を参照）；前縁と後縁との間の角度一致接続（例えば、図１４の角度αB1を参照）；またはαB3などのこのようなブレードジオメトリ確立角度の間のいずれかの角度、のいずれかに一致するように選択することができる。ホッケースティック状リッジおよび溝配列平面図形パターンは、完全に水平または対角の公知の平面図形配列パターンのように比較的容易にアブレイダブル面に形成されるが、流体流れシミュレーションにおいて、ホッケースティック状パターンは、これらの公知の一方向平面図形パターンのいずれよりも少ないブレード先端漏れを生じる。ホッケースティック状パターンは、公知のアブレイダブル構成部材リッジおよび溝パターンを形成するために従来使用されてきた公知の切断／切削または付加式層構成方法によって形成される。
【００３３】
図１２では、アブレイダブル構成部材１６０は、タービンブレード回転軸線またはアブレイダブル構成部材支持軸線に相当する軸流タービン軸流方向Ｆに対して±１０度以内の角度αAに向けられた前方リッジ／リッジ先端１６２Ａ／１６４Ａおよび溝１６８Ａを有する。後方リッジ／リッジ先端１６２Ｂ／１６４Ｂおよび溝１６８Ｂは、ほぼタービンブレード９２後縁角度である角度αBで向けられている。図１２に概略的に示したように、前方リッジ１６２Ａは前方ゾーンＡブレード漏れ方向を遮断し、後方リッジ１６２Ｂは後方ゾーンＢのブレード漏れＬを遮断する。ブレード先端漏れＬを遮断および妨害するために、水平のスペーサリッジ１６９が、ブレード９２の設置面積全体にわたって、アブレイダブル構成部材表面１６７の周囲に沿って、軸方向に周期的に向けられている。
【００３４】
図１３のアブレイダブル構成部材１７０の実施形態は、図１２の実施形態と同様であり、タービン燃焼ガス流方向Ｆに対してほぼ平行に向けられた前方部分リッジ１７２Ａ／１７４Ａおよび溝１７８Ａを備える一方で、後方リッジ１７２Ｂ／１７４Ｂおよび溝１７８Ｂは、ゾーンＢにおいて始まるタービンブレード９２の圧力側とブレード後縁との間に形成された角度とほぼ等しい角度αBで向けられている。図１２の実施形態と同様に、ブレード先端漏れＬを遮断および妨害するために、水平スペーサリッジ１７９は、ブレード９２の設置面積全体にわたって、アブレイダブル構成部材表面１６７の周囲に沿って軸方向に周期的に向けられている。
【００３５】
図１４のアブレイダブル構成部材１８０の実施形態は、図１２および図１３のものと同様であり、タービン燃焼ガス流方向Ｆに対してほぼ平行に向けられた前方部分リッジ１８２Ａ／１８４Ａおよび溝１８８Ａを備える一方、後方リッジ１８２Ｂ／１８４Ｂおよび溝１８８Ｂは選択的に角度αB1からαB3までのいずれかで向けられている。角度αB1は、ブレード９２の前縁と後縁との間に形成された角度である。図１３に示したように、角度αB2は、後方ゾーンＢと向かい合った関係にあるタービンブレード９２の高圧側壁の部分に対してほぼ平行である。図１４に示したように、後方リッジ１８２Ｂ／１８４Ｂおよび溝１８８Ｂは、実際には、角度αB2の約５０％の角度αB3で向けられている。図１２の実施形態と同様に、ブレード先端漏れＬを遮断および妨害するために、水平スペーサリッジ１８９は、ブレード９２の設置面積全体にわたって、アブレイダブル構成部材表面１８７の周囲に沿って軸方向に周期的に向けられている。
【００３６】
図１５のアブレイダブル構成部材１９０の実施形態では、前方リッジ１９２Ａ／１９４Ａおよび溝１９８Ａおよび角度αAは、図１４のものと同様であるが、後方リッジ１９２Ｂ／１９４Ｂおよび溝１９８Ｂは、図１４よりも狭い間隔および幅を有する。図１５に示された後方リッジ１９２Ｂ／１９４Ｂおよび溝１９８Ｂの代替的な角度αB1は、図１２における角度αBのように、タービンブレード９２の後縁角度と一致している。図１３に示したように、実際の角度αB2は、後方ゾーンＢと向かい合った関係にあるタービンブレード９２の高圧側壁の部分に対してほぼ平行である。代替的な角度αB3および水平スペーサリッジ１９９は、図１４のものと一致するが、角度またはスペーサリッジの他の配列を利用することができる。
【００３７】
代替的なスペーサリッジパターンが、図１６および図１７に示されている。図１６の実施形態では、アブレイダブル構成部材２００は、タービンブレード９２の軸方向設置面積全体にわたって延びた全長スペーサリッジ２０９と、全長リッジの間に挿入された付加的な前方スペーサリッジ２０９Ａとの配列を有する。付加的な前方スペーサリッジ２０９Ａは、前縁の近くのブレード９２の部分におけるブレード先端漏れの付加的な遮断を提供する。図１７の実施形態では、アブレイダブル構成部材２１０は、全長スペーサリッジ２１９のパターンと、前方スペーサリッジ２１９Ａおよび後方スペーサリッジ２１９Ｂの周方向にずらされた配列とを有する。周方向にずらされたリッジ２１９Ａ／Ｂは、ブレード９２がアブレイダブル構成部材２１０の表面を摺動するときに、早すぎるブレード先端摩耗を生じるおそれがある摺動中の連続的な接触の可能性なしに、ブレード先端漏れの周期的な遮断または妨害を提供する。
【００３８】
水平スペーサリッジの配列がこれまで説明されているが、本発明のその他の実施形態は、鉛直スペーサリッジを含む。特に、図１８および図１９のアブレイダブル構成部材２２０の実施形態は、前方リッジ２２２Ａを有し、前方リッジ２２２Ａの間には溝２２８Ａが設けられている。これらの溝は、前方リッジ２２２Ａを互いに接続する、ずらされた前方鉛直リッジ２２３Ａによって中断されている。図１８に示したように、ずらされた前方鉛直リッジ２２３Ａは、左から右へ下方に傾斜した一連の対角配列を形成している。全長鉛直スペーサリッジ２２９は、前方ゾーンＡと後方ゾーンＢとの間の移行ゾーンＴにおいて向けられている。後方リッジ２２２Ｂおよび溝２２８Ｂは、角度を成して向けられており、前方リッジ２２２Ａおよび溝２２８Ａを備えるホッケースティック状平面図形配列を完成させている。ずらされた後方鉛直リッジ２２３Ｂは、前方鉛直リッジ２２３Ａと同様に配列されている。鉛直方向リッジ２２３Ａ／Ｂおよび２２９は、図１２〜図１７の中断されていない全長溝実施形態の場合にさもなければ生じる、前方部分から後方部分へのアブレイダブル構成部材２２０の溝を横切る概して軸方向の空気流漏れを妨害するが、それは、鉛直方向リッジのうちの１つとのそれぞれの潜在的なこすり接触箇所における増大したブレード先端摩耗の潜在的な欠点を伴う。ずらされた鉛直リッジ２２３Ａ／Ｂは、妥協として、タービンブレード先端のための潜在的な３６０度摺動面を導入することなしに、溝２２８Ａ／Ｂを通る軸方向空気流を周期的に妨害する。連続的な鉛直リッジ２２９のための潜在的な３６０度こすり面接触は、リッジ２２２Ａ／Ｂまたは２２３Ａ／Ｂに対するリッジ鉛直高さを短くすることによって減じることができるが、前方溝２２８Ａと後方溝２２８Ｂとの間の移行ゾーンＴにおけるある程度の軸流妨害能力を依然として提供する。
【００３９】
図２０は、連続的な溝を備えるホッケースティック状リッジ／溝パターン配列平面図形（実線）と、ずらされた鉛直リッジによって中断された分割溝（点線）との、シミュレーションされた流体流比較を示している。合計ブレード先端漏れ質量フラックス（それぞれの線の下側の領域）は、連続溝配列パターンの場合よりも、分割溝配列パターンの場合に小さい。
【００４０】
溝における空気流を妨害するずらされたリッジは、ブレード回転方向Ｒで鉛直に整列させられなくてもよい。図２１に示したように、アブレイダブル構成部材２３０は、前方リッジおよび後方リッジの連続的な列の間を接続しかつ溝２３８Ａ／Ｂ内の下流への流れを周期的に遮断するリッジ２３３Ａ／Ｂの角度づけられたパターン（αA，αB）によって中断された、それぞれの前方および後方のリッジ２３２Ａ／Ｂおよび溝２３８Ａ／Ｂのパターンを有する。図１８の実施形態のように、アブレイダブル構成部材２３０は、前方ゾーンＡと後方ゾーンＢとの間の移行部に配置された、連続的な鉛直に整列させられたリッジ２３９を有する。リッジ２３２Ａおよび２３３Ａの交差する角度づけられた配列は、前縁から後縁までのタービンブレード軸方向長さに沿った高圧側９６から低圧側９８への局所的なブレード先端漏れＬを有効に遮断する。
【００４１】
図１２〜図１９および図２１に示されたスペーサリッジ１６９，１７９，１８９，１９９，２０９，２１９，２２９，２３９等の実施形態は、同じアブレイダブル構成部材配列において異なる相対高さを有してもよく、構成部材内の他のリッジ配列のうちの１つまたは複数とは異なる高さを有してもよい。例えば、スペーサリッジ高さが、アブレイダブル面における他のリッジの高さよりも小さいとするならば、スペーサリッジはブレード先端には接触しないが、依然として、隣接する中断された溝に沿って空気流を妨害するように機能することができる。
【００４２】
図２２は、ホッケースティック状平面図形パターンのアブレイダブル構成部材２４０の代替的な実施形態であり、別個の前方ゾーンＡおよび後方ゾーンＢ、もしくはゾーンを互いに分割するためにいかなる鉛直リッジも有することなく移行部Ｔにおいて交差するリッジ２４２Ａ／Ｂおよび溝２４８Ａ／Ｂパターンの実施形態概念を組み合わせている。すなわち、溝２４８Ａ／Ｂは、アブレイダブル構成部材２４０の前縁または後縁から、対応するタービンブレードの軸方向スイープによってカバーされる後方の最も下流のエッジ（流れ方向Ｆの矢印を参照）までの連続的な複合的な溝を形成している。ずらされた鉛直リッジ２４３Ａ／Ｂは、１つの軸方向位置において（回転矢印Ｒの方向で）アブレイダブル面と対応する回転ブレードとの潜在的な連続的な削り接触なしに、各溝を通る軸方向流れを中断する。しかしながら、小さな鉛直リッジ２４３Ａ／Ｂによって周期的にのみ中断されている、連続的な直線的な溝２４８Ａ／Ｂの比較的長い延びは、ウォータージェット浸食またはその他の公知の製造技術による容易な製造を提供する。アブレイダブル構成部材２４０の実施形態は、空気流性能、ブレード先端摩耗および製造容易性／コストの間の良好な主観的設計妥協を提供する。
【００４３】
図２３〜図２５は、ジグザグパターンを有するアブレイダブル構成部材リッジおよび溝平面図形配列の実施形態を示している。ジグザグパターンは、リッジを形成するためにアブレイダブル面基板に材料の１つまたは複数の層を付加することによって、または公知のレーザまたはウォータージェット切断法などによって基板に溝を形成することによって形成される。図２３において、アブレイダブル構成部材２５０の基板表面２５７は、２５８’において始まり、２５８’’において終わった、基板表面２５７に形成された連続的な溝２５８を有しており、交互のフィンガ状の互いの間に位置するリッジ２５２のパターンを形成している。その他の溝およびリッジのジグザグパターンがアブレイダブル構成部材に形成されてもよい。図２４の実施形態に示したように、アブレイダブル構成部材２６０は、基板表面２６７に形成された、２６８’において始まり、２６８’’において終わった、連続的なパターンの対角に向けられた溝２６８を有しており、角度方向に向けられたリッジ２６２を残している。図２５において、アブレイダブル構成部材実施形態２７０は、基板表面２７７に一対の溝２７８Ａおよび２７８Ｂによって形成されたＶ字形またはホッケースティック状の二重ゾーンマルチ溝パターンを有する。溝２７８は、２７８’において始まり、２７８’’において終わる。基板表面全体２７７にＶ字形またはホッケースティック状パターンを完成させるために、２７８Ａ’において始まり、２７８Ａ’’において終わった第２の溝２７８Ａが、アブレイダブル構成部材２７０の下側の左側部分に形成されている。図１２〜１９、２１および２２のアブレイダブル実施形態においてなされたように、それぞれのブレード先端漏れＬの流れ方向付け前方および後方リッジ２７２Ａおよび２７２Ｂが、アブレイダブル面２７７のそれぞれの前方および後方ゾーンに形成されている。溝２５８，２６８，２７８または２７８Ａは、連続的に形成されていなくてもよく、溝の軸方向全長を通るガス流を阻止するために、図１８および図１９の実施形態のリッジ２２３Ａ／Ｂのような遮断リッジを有してもよい。
【００４４】
図２６〜図２９は、重ねられたループパターンを有するアブレイダブル構成部材リッジおよび溝平面図形配列の実施形態を示している。重ねられたループパターンは、リッジを形成するためにアブレイダブル面基板に材料の１つまたは複数の層を付加することによって、または公知のレーザまたはウォータージェット切断法などによって基板に溝を形成することによって形成される。図２６のアブレイダブル構成部材２８０の実施形態は、水平に向けられたスペーサリッジ２８９によって分離された、鉛直に向けられた重ねられたループパターン２８１の配列を有する。各ループパターン２８１は、重ねられた溝２８８Ａ〜２８８Ｅと、中央リッジ２８２Ａおよびループリッジ２８２Ｂ〜２８２Ｅを含む対応する相補的なリッジとを有する。図２７において、アブレイダブル構成部材２８０’は、前方ゾーンＡにおける重ねられたループ２８１Ａと、後方ゾーンＢにおける重ねられたループ２８１Ｂとのパターンを有する。重ねられたループ２８１Ａおよび２８１Ｂは、水平方向２８９および鉛直方向２８９Ａの両方でスペーサリッジによって分離されている。図２８のアブレイダブル実施形態２８０’’において、重ねられたループ２８１’’の水平部分は、角度αで向けられている。図２９のアブレイダブル実施形態２８０’’’において、重ねられた、概して水平方向または軸方向のループ２８１Ａ’’’および２８１Ｂ’’’は、別々の前方ゾーンＡおよび後方ゾーンＢ配列においてそれぞれの角度αAおよびαBで配列されている。前方および後方の角度、ならびにループ寸法は、各ゾーンにおけるブレード先端漏れを最小限に減じるために変更されてもよい。
【００４５】
図３０〜図３３は、重ねられたループパターンと同様の螺旋状迷路パターンを有するアブレイダブル構成部材リッジおよび溝平面図形配列の実施形態を示している。迷路パターンは、リッジを形成するためにアブレイダブル面基板に材料の１つまたは複数の層を付加することによって形成される。代替的に、これらの関連する図面に示されているように、迷路パターンは、公知のレーザまたはウォータージェット切断法などによって基板に溝を形成することによって形成される。図３０のアブレイダブル構成部材２９０の実施形態は、水平に向けられたスペーサリッジ２９９によって分離された、それぞれ２９１Ａにおいて始まり、２９１Ｂにおいて終わる、鉛直に向けられた重ねられた迷路パターン２９１の配列を有する。図３１において、アブレイダブル構成部材２９０’は、前方ゾーンＡにおける重ねられた迷路２９１Ａと、後方ゾーンＢにおける重ねられた迷路２９１Ｂとのパターンを有する。重ねられた迷路２９１Ａおよび２９１Ｂは、水平方向２９９’および鉛直方向２９３’の両方でスペーサリッジによって分離されている。図３２のアブレイダブル実施形態２９０’’において、重ねられた迷路２９１’’の水平部分は、角度αで向けられている。図３３のアブレイダブル実施形態２９０’’’において、迷路２９１Ａ’’’および２９１Ｂ’’’のほぼ水平の部分は、別々の前方ゾーンＡおよび後方ゾーンＢ配列においてそれぞれの角度αAおよびαBで配列されているのに対し、ほぼ鉛直の部分は、ブレード回転スイープと整列させられている。前方および後方の角度αAおよびαB、ならびに迷路寸法は、各ゾーンにおけるブレード先端漏れを最小限に減じるために変更されてもよい。
【００４６】
図３４および図３５は、移行ゾーンＴにおいて対応する湾曲したリッジ３０２Ｔおよび溝３０８Ｔのパターンによって接続された、それぞれの前方ゾーンＡおよび後方ゾーンＢにおける別個かつ明確なマルチ配列されたリッジ３０２Ａ／３０２Ｂおよび溝３０８Ａ／３０８Ｂパターンを備えるアブレイダブル構成部材３００の実施形態に関する。この典型的な実施形態パターンでは、溝３０８Ａ／Ｂ／Ｔは、対応するリブ３０２Ａ／Ｂ／Ｔを包囲する、アブレイダブル構成部材３００の表面内の閉ループとして形成されている。リブ間の間隔ＳRA，ＳRBおよびＳRTならびに対応する溝間隔は、局所的なブレード先端漏れを最小限に減じるために、または様々な局所的なアブレイダブル面浸食速度を補償するために、構成部材表面を横切って軸方向および鉛直方向で変化してもよく、これは非対称なリッジ表面積密度を生じる。
【００４７】
図６４の代替的な実施形態では、アブレイダブル構成部材１３００の局所的なアブレイダブル表面積密度は、リッジ幅ＷRを局所的に変化させることによって変化させられており、後方ゾーンＢにおけるリッジ１３０２Ｂよりも前方ゾーンＡにおいてより幅広のリッジ１３０２Ａを有しており、非対称の前方ゾーンＡ／後方ゾーンＢ表面積平面図形パターンを生じている。局所的なリッジ浸食のより低い可能性が存在するが、エンジン運転中のブレード先端／基板表面接触のより高い可能性が存在する後方ゾーンにおけるブレード先端摩耗を減じながら、エンジン運転中の前方ゾーンにおけるより大きなリッジ浸食を補償するために、前方リッジ１３０２Ａは、後方リッジ１３０２Ｂよりも大きな表面積密度を有する（および／またはより小さい削りやすさ特性を備えるアブレイダブル材料を採用している）。図６４のアブレイダブル構成部材１３００の実施形態において、リッジの連続する列は、一定のリッジまたはリブ間隔またはピッチＳRA，ＳRBおよびＳRTを有する。つまり、移行セクションのリッジ１３０２Ｔの幅は、結合された前方リッジ１３０２Ａの対応する幅から、結合された後方リッジ１３０２Ｂの対応する幅へ局所的に狭まっている。一定のリッジ１３０２のピッチを維持するために、したがって、それぞれの溝セクション１３０８Ａ／Ｔ／Ｂにおける溝１３０８の幅は構成部材１３００を横切って前方から後方へ幅広になっている。図示された構成部材１３００は、図３４および図３５に示された構成部材３００のものと同様に、対応するリブ１３０２Ａ／Ｂ／Ｔを包囲する、アブレイダブル構成部材１３００の表面内の閉ループを備えて構成されている。本明細書においてより詳細に説明するように、局所的なブレード先端漏れと、対応するブレード先端リブとのアブレイダブル表面密度接触とは、また、アブレイダブル面リッジ先端におけるサブリブまたはサブ溝を有すること（例えば、図５２〜図５７参照）、ピクセル化されたリッジ先端（例えば、図５８参照）および／または回転するブレード先端に対してブレード先端表面を傾斜させること（例えば、図６６〜図６９参照）によって、変化させられる。
【００４８】
図３６は、アブレイダブル構成部材における比較可能な深さのリッジおよび溝輪郭の比較可能な流体ダイナミクスシミュレーションを示している。実線は、図３４，３５および図６４のタイプのアブレイダブル構成部材におけるブレード先端漏れを表している。点線は、軸方向または水平方向に向けられたリブおよび溝のみを有する従来のタイプのアブレイダブル構成部材表面を表している。点線は、対応するタービンブレード９２の後縁角度と整列した、対角に向けられたリブおよび溝のみを備える図７の構成部材と同様の、従来のアブレイダブル構成部材を表している。アブレイダブル構成部材３００および１３００は、従来公知のタイプの一方向のアブレイダブル面リッジおよび溝パターンのそれぞれの漏れよりも少ないブレード先端漏れを生じる。
【００４９】
アブレイダブル面リッジおよび溝断面輪郭
典型的な本発明の実施形態のアブレイダブル面リッジおよび溝断面輪郭が、図３７〜４１，図４３〜６３および図６５〜７１に示されている。アブレイダブル面全体にわたって均一な高さを有する公知のアブレイダブル断面輪郭パターンとは異なり、溶射されたアブレイダブル層に形成された本発明の断面輪郭の多くは、明確な上側摩耗ゾーン（ゾーンＩ）および下側摩耗ゾーン（ゾーンＩＩ）を有する、複合的なマルチ高さ／深さリッジおよび溝パターンを有する。下側ゾーンＩＩは、エンジン空気流および構造的特性を最適化するのに対し、上側ゾーンＩは、下側ゾーンよりも容易に削れやすいことによってブレード先端間隙および摩耗を最小限に減じる。アブレイダブル構成部材の様々な実施形態は、下側ゾーンリブ構造よりも小さな断面積を有する上側サブリッジまたは尖端を備える上側ゾーンのより容易な削りやすさを提供する。幾つかの実施形態では、上側サブリッジまたは尖端は、小さなブレード先端接触の際に曲がるか、さもなければたわむように、かつ、より大きなブレード先端接触の際には摩耗および／またはせん断するように形成されている。他の実施形態では、上側ゾーンサブリッジまたは尖端は、１つまたは複数のブレード先端と局所的に接触したこれらの尖端のみが摩耗され、局所的な摩耗ゾーンの外側の他のものはそのままにとどまるように、上側摩耗ゾーンの配列にピクセル化されている。リッジの上側ゾーン部分は摩耗されるのに対し、従来公知のモノリシックリッジよりもブレード先端摩耗を生じにくく、複合中空セラミック球体マトリックス向きおよび直径の物理的制約の周囲に輪格付けを要求するＣＭＣ／ＦＧＩアブレイダブル構成部材構成の柔軟性を形成するより大きな輪郭を提供する。本発明の幾つかの実施形態では、上側ゾーンリッジ部分が摩耗されたとき、残りの下側リッジ部分は、ブレード先端漏れを制御することによってエンジン効率を保持する。局所的なブレード先端間隙がさらに減じられた際、ブレード先端は、その位置における下側リッジ部分を摩耗させる。しかしながら、その下側リッジ部分の局所的な摩耗領域の外側の比較的高いリッジは、エンジン性能効率を保持するために、より小さなブレード先端間隙を維持する。
【００５０】
本発明の幾つかの実施形態の漸進的摩耗ゾーン構成により、ブレード先端間隙Ｇは、これまでの許容可能な公知の寸法よりも減じることができる。例えば、公知の許容可能なブレード間隙Ｇの設計仕様が１ｍｍであるならば、摩耗ゾーンＩにおけるより高いリッジの高さを増大することができ、これにより、ブレード先端間隙は０．５ｍｍに減じられる。摩耗ゾーンＩＩのための境界を確立する下側リッジは、下側リッジの遠位先端部分がブレード先端から１ｍｍだけ離間させられるような高さに設定されている。この形式では、日常的なタービン運転のために、５０％だけより厳密なブレード先端間隙Ｇが確立され、ゾーンＩにおける上側リッジとのブレード接触によって生ぜしめられるある程度の潜在的摩耗を許容する。ゾーンＩＩにおける継続的な局所的な漸進的なブレード摩耗は、ブレード先端が下側ゾーンに到達した時に初めて開始するが、いかなる場合にも、１ｍｍのブレード先端間隙Ｇは、公知のブレード先端間隙仕様よりも悪くならない。幾つかの典型的な実施形態では、上側ゾーンＩの高さは、下側ゾーンＩＩの高さの約３分の１〜３分の２である。
【００５１】
図３７〜図４１のアブレイダブル構成部材３１０は、アブレイダブル面３１７から突出し、支持面３１１によって構造的に支持された交互の高さの湾曲したリッジ３１２Ａおよび３１２Ｂを有する。溝３１８は、交互の高さのリッジ３１２Ａ／Ｂを分離しており、リッジ側壁３１５Ａ／Ｂおよび３１６Ａ／Ｂによって規定されている。摩耗ゾーンＩは、より高いリッジ３１２Ａのそれぞれの先端３１４Ａから、より低いリッジ３１２Ｂのそれぞれの先端３１４Ｂまで形成されている。摩耗ゾーンＩＩは、先端３１４Ｂから基板表面３１７まで形成されている。タービンエンジン運転条件（図３９および図４０）において、より高いリッジ先端３１２Ａと、ブレード先端９４との間にブレード間隙Ｇが維持される。ブレード間隙Ｇが維持されるが、ブレード漏れＬは、ブレード９２において回転方向（矢印Ｒ）へ、（圧力ＰPにおける）ブレード９６のより高圧側から、（圧力ＰSにおける）ブレード９８の低いまたは吸込み加圧側へ移動する。ブレード先端９４の下のブレード漏れＬは、より高いリッジ３１２Ａと中間のより低いリッジ３１２Ｂとの向かい合った対の間に部分的に捕捉され、ブレード漏れにさらに抵抗する遮断旋回パターンを形成する。ブレード先端間隙Ｇが、タービンケーシング１００の歪みによりいずれか１つまたは複数のブレードのために減じられると、ブレード先端９４とアブレイダブル構成部材３１０との間の、迅速エンジン始動モードまたはその他の理由の初期接触が、より高いリッジ先端３１４Ａにおいて生じる。さらにゾーンＩにある間、ブレード先端９４は、交互にずらされたより高いリッジ３１２Ａのみをこする。ブレード間隙Ｇが次第に小さくなると、より高いリッジ３１２Ａは、より高いリッジ３１２ＡがゾーンＩを通じて完全に摩耗されるまで削られ、ゾーンＩＩにおけるより低いリッジ先端３１４Ｂに接触し始める。ゾーンＩＩになると、タービンブレード先端９４は、局所的な摩耗ゾーンにおいて、残りのリッジ３１４Ａ／Ｂの全てをこするが、タービンケーシングの他の局所的な部分においては、ブレード先端間隙Ｇの減少は生じないことがあり、上側リッジ３１２Ａは、完全な高さのまま変化しないことがある。すなわち、アブレイダブル構成部材３１０の交互高さリブ構成は、ゾーンＩおよびＩＩ内に局所的な摩耗を提供するが、これらの局所的な領域においてブレード先端間隙Ｇおよびブレード先端漏れＬの空力的制御を保持し、ここでは、タービンケーシング１００またはブレード９２のゆがみが生じない。標準的または急速始動または両方のエンジン運転モードが望まれる場合、より高いリッジ３１２Ａが、クリアランスの一次的な層を形成し、最も小さなブレード先端間隙Ｇを備え、典型的には、より低い傾斜レートを利用するかまたはウォームスタートを行わない機械のための最善のエネルギ効率クリアランスを提供する。概して、より低いリッジ先端３１４Ｂのためのリッジ高さＨRBは、より高いリッジ先端３１４Ａの高さＨRAの２５％〜７５％である。図４１に示された実施形態において、連続するより高いリッジ３１２Ａの間の中心線間隔ＳRAは、連続するより低いリッジ３１２Ｂの間の中心線間隔ＳRBと等しい。３つ以上のリッジ高さを有する、マルチ高さリッ��のその他の中心線間隔およびパターンを使用することができる。
【００５２】
上側および下側摩耗ゾーンを備えたリッジおよび溝輪郭の他の実施形態は、図４２における従来のアブレイダブル１５０の公知の単一高さリッジ構造と比較して、図４３および図４４の段状のリッジ輪郭を有する。公知の単一高さリッジアブレイダブル１５０は、タービンケーシング１００に結合されたベース支持部１５１と、基板表面１５７と、平坦なリッジ先端１５４において終わった内方へ傾斜した側壁１５５，１５６を有する対称的なリッジ１５２と、を有する。リッジ先端１５４は、共通の高さを有しており、向かい合った、間隔を置かれたブレード先端９４とブレード先端間隙Ｇを形成している。リッジ１５２の間に溝１５８が形成されている。リッジ間隔ＳR、溝幅ＷG、およびリッジ幅ＷRは、特定の用途のために選択される。比較として、図４３および図４４の段状のリッジ輪郭は、リッジ構造において２つの別個の上側および下側の摩耗ゾーンを利用する。
【００５３】
図４３のアブレイダブル構成部材３２０は、支持面３２１と、アブレイダブル面３２７とを有し、アブレイダブル面３２７には、別個の２層のリッジ、すなわち下側リッジ３２２Ｂと上側リッジ３２２Ａとが配置されている。下側リッジ３２２Ｂは、高さＨRBの平坦部３２４Ｂにおいて終わった一対の側壁３２５Ｂおよび３２６Ｂを有する。上側リッジ３２２Ａは、平坦部３２４Ｂに形成されており、平坦部３２４Ｂから突出しており、高さＨRAおよび幅ＷRの遠位リッジ先端３２４Ａにおいて終わった側壁３２５Ａおよび３２６Ａを有する。リッジ先端３２４Ａは、向かい合った間隔を置いたブレード先端９４とブレード先端間隙Ｇを形成している。摩耗ゾーンＩＩはアブレイダブル面３２７から平坦部３２４Ｂまで鉛直方向に延びており、摩耗ゾーンＩは平坦部３２４Ｂからリッジ先端３２４Ａまで鉛直方向に延びている。図４３における２つの最も右側のリッジ３２２Ａ／Ｂは、結合した共通の側壁３２６Ａ／Ｂを備える非対称の輪郭を有するが、向かい合った側壁３２５Ａおよび３２５Ｂは、互いに横方向にずれており、幅ＷPの平坦部３２４Ｂによって分離されている。溝３２８は、リッジ３２２Ａ／Ｂの間に形成されている。最も左側のリッジ３２２Ａ’／Ｂ’は、対称的な輪郭を有する。下側リッジ３２２Ｂ’は、平坦部３２４Ｂ’において終わった一対の収束する側壁３２５Ｂ’および３２６Ｂ’を有する。上側リッジ３２２Ａ’は平坦部３２４Ｂ’上に中心合わせされており、上側リッジ側壁３２５Ａ’および３２６Ａ’に対して等しい幅のオフセットＷP’を残している。上側リッジ先端３２４Ａ’は、幅ＷR’を有する。リッジ間隔ＳRおよび溝幅ＷGは、所望のブレード先端漏れ空気流制御を提供するように選択されている。本明細書に記載されたアブレイダブル構成部材リッジおよび溝輪郭の幾つかの典型的な実施形態では、溝幅ＷGは、下側リッジ幅の約３分の１〜３分の２である。図４３に示されたリッジおよび溝は対称的に間隔を置かれているが、段状の摩耗ゾーンＩおよびＩＩを形成する種々のリッジ断面輪郭を含む、その他の離間輪郭が選択されてもよい。
【００５４】
図４４は、鉛直に向けられた平行な側壁３３５Ａ／Ｂおよび３３６Ａ／Ｂを有するリッジ３３２Ａ／Ｂを備えた、別の段状の輪郭のアブレイダブル構成部材３３０を示している。下側リッジはリッジ平坦部３３４Ｂにおいて終わっており、このリッジ平坦部３３４Ｂ上に、上側リッジ３３２Ａが向けられており、リッジ先端３３４Ａにおいて終わっている。幾つかの用途では、ブレード先端間隙における空気流制御のために、鋭い角を有する輪郭を形成する、鉛直に向けられた側壁と平坦な先端／平坦部とを使用することが望ましいことがある。上側摩耗ゾーンＩは、リッジ先端３３４Ａとリッジ平坦部３３４Ｂとの間にあり、下側摩耗ゾーンは、平坦部とアブレイダブル面３３７との間にある。図４３のアブレイダブル実施形態３２０と同様に、図４４に示されたリッジおよび溝は対称的に間隔を置かれているが、段状の摩耗ゾーンＩおよびＩＩを形成する種々のリッジ断面輪郭を含む、その他の離間輪郭が選択されてもよい。
【００５５】
段状リッジ構成アブレイダブル構成部材の別の置換または種類において、別々の上側および下側摩耗ゾーンＩおよびＩＩは、図４５に示されたアブレイダブル３４０の輪郭において用いられるように、複数の溝深さ、溝幅およびリッジ幅を使用することによって形成されていてもよい。下側リブ３４２Ｂは、アブレイダブル面３４７に関連して摩耗ゾーンＩＩを規定するリブ平坦部３４４Ｂを有する。リブ平坦部３４４Ｂは、共通の高さのリブ先端３４４Ａにおいて終わった、一対の向かい合った、横方向で側面を成した上側リブ３４２Ａを支持している。摩耗ゾーンＩは、リブ先端３４４Ａと平坦部３４４Ｂとの間に規定されている。アブレイダブル構成部材３４０の輪郭を形成するための便利な方法は、平坦な表面のアブレイダブル基板に、それぞれの深さＤGAおよびＤGBに二重深さ溝３４８Ａおよび３４８Ｂを切削することである。リッジ間隔ＳR、溝幅ＷGA/GB、リッジ先端３４４Ａの幅ＷRは、所望のブレード先端漏れ空気流制御を提供するように選択されている。図４５に示されたリッジおよび溝は対称的に間隔を置かれているが、段状の摩耗ゾーンＩおよびＩＩを形成する種々のリッジ断面輪郭を含む、その他の離間輪郭が選択されてもよい。
【００５６】
図４６に示したように、あるタービン用途では、鉛直に向けられた鋭いエッジの上流側壁３５６と、基板表面３５７から延び、リッジ先端３５４において終わった、傾斜した反対側の下流側壁３５５とを備える、非対称輪郭アブレイダブルリッジ３５２を有するアブレイダブル構成部材３５０の実施形態を採用することによってブレード先端漏れを制御することが望ましい場合がある。ブレード漏れＬは、最初、鉛直の側壁３５６によって抵抗される。しかしながら、一部の漏れ空気流Ｌは、ブレードの高圧ブレード側９６から低圧吸込みブレード側９８へ流れるときにリッジ先端３５４と、向かい合ったブレード先端９４との間で圧縮される。この漏れ流は、下方へ傾斜したリッジ壁３５５をたどり、そこで、漏れ流は次の下流リッジの鉛直側壁３５６によってブレード回転方向Ｒとは反対に方向転換される。今では逆方向に流れる漏れ空気Ｌは、ブレード回転方向Ｒのさらなる到来する漏れ空気流Ｌに抵抗する。図４６に示された寸法的基準は、前に説明した図の基準の説明と一貫している。図４６のアブレイダブル構成部材実施形態３５０は、他の前に説明したアブレイダブル構成部材輪郭の漸進的な摩耗ゾーンＩおよびＩＩを採用していないが、このようなゾーンは、他の以下に説明する非対称輪郭リブ実施形態に組み込まれてもよい。
【００５７】
リブに溝を切削することによって、非対称のリブまたはあらゆるその他のリブ輪郭に、漸進的な摩耗ゾーンを組み込むことができ、これにより、溝切削部の側面を成す残りの直立したリブ材料は、残りの下側に位置するリブよりも、小さな水平横断面積を有する。望ましくないブレード先端漏れを減じることによってタービンエンジンの空気流特性を高めるように調整されてもよい溝の向きおよび輪郭は、本明細書において以下で説明される図４７の実施形態に示されている。この形式では、溶射されたアブレイダブル構成部材表面は、高められた空気流特性および減じられた潜在的ブレード先端摩耗の両方を備えて構成されている。なぜならば、ブレード先端は、より容易に削られる上側摩耗ゾーンＩの幾つかの部分にのみ接触するからである。下側摩耗ゾーンＩＩは、溝深さよりも低い下側リブ構造に残る。ここで、漸進的摩耗ゾーンを形成するために使用される、アブレイダブル構成部材のリッジおよび溝輪郭のその他の典型的な実施形態を説明する。前に説明した実施形態と共通の、これらの付加的な実施形態における構造的特徴および構成部材寸法基準は、さらなる詳細な説明なしに同じ一連の参照番号および符号で識別されている。
【００５８】
図４７は、図４６のアブレイダブル構成部材３５０のリブ断面輪郭を有するアブレイダブル構成部材３６０を示しているが、このアブレイダブル構成部材３６０は、リッジ先端３６４の間に形成された溝３６８Ａおよびリッジ３６２の間に基板表面３６７まで形成された溝３６８Ｂの二重レベル溝を含んでいる。上側の溝３６８Ａは、摩耗ゾーンＩを有する、より浅い深さＤGの横方向リッジを形成しているのに対し、溝深さよりも下側のリッジ３６２の残りは、下側摩耗ゾーンＩＩを有する。このアブレイダブル構成部材実施形態３６０では、上側の溝３６８Ａは、リッジ３６２の長手方向軸線に対して平行に向けられており、かつリッジ先端３６４の表面に対して垂直であるが、空気流制御を最適化するためにおよび／またはブレード先端摩耗を最小限に減じるために、その他の溝の向き、輪郭および深さが採用されてもよい。
【００５９】
図４８のアブレイダブル構成部材３７０の実施形態では、リッジ先端３７４に対して角度γで前後に傾斜させられており、深さＤGAと、平行な溝側壁とを有する。上側摩耗ゾーンＩは、溝３７８Ａの底部とリッジ先端３７４との間に形成されており、下側摩耗ゾーンＩＩは、上側摩耗ゾーンの下側に、基板表面３７７まで形成されている。図４９の代替的な実施形態では、アブレイダブル構成部材３８０は、リッジ３８２の長手方向軸線およびリッジの側壁３８５／３８６に対して角度Δで傾斜させられた矩形の輪郭を備える上側溝３８８Ａを有する。図示された上側溝３８８Ａは、リッジ先端３８４の表面に対して垂直でもある。上側摩耗ゾーンＩは、溝深さＤGAより上側にあり、摩耗ゾーンＩＩは、その溝深さより下側に基板表面３８７まで位置する。簡略にするために、構造的特徴および寸法の残りは、図４８および図４９において、前述のアブレイダブル表輪郭実施形態と同じ慣行でラベル付けされており、同じ前述の機能、目的および関係を有する。
【００６０】
図５０〜図５２に示したように、上側の溝は、平行な側壁を有さなくてもよく、リッジ先端表面に対して異なる角度で向けられていてもよい。加えて、上側の溝は、変化した断面輪郭を有するリッジにおいて利用されてもよい。アブレイダブル構成部材実施形態３９０，４００および４１０のリッジは、リッジ先端において収束する対称的な側壁を有する。二重高さ溝を有する前述の実施形態のように、それぞれの上側摩耗ゾーンＩは、リッジ先端から溝深さＤGの底部まで位置し、下側摩耗ゾーンＩＩは、溝底部から基板表面まで位置している。図５０において、上側溝３９８Ａは、基板表面に対して垂直であり（ε＝９０°）、溝側壁は、角度Φで拡開している。図５１において、溝４０８Ａは、基板表面に対して角度＋εで傾斜させられており、図５２における溝４１８Ａは、基板表面に対して−εで傾斜させられている。両方のアブレイダブル構成部材の実施形態４００および５１０において、上側溝側壁は、角度Φで拡開している。簡略にするために、構造的特徴および寸法の残りは、図５０〜図５２において、前述のアブレイダブル面輪郭実施形態と同じ慣行でラベル付けされており、同じ前述の機能、目的および関係を有する。
【００６１】
図５３〜図５６において、図示されたアブレイダブルリッジ実施形態は、選択的な上側および下側摩耗ゾーンをも有しながら、選択的な空気流制御のために、台形の断面輪郭と、様々な向きの上側溝を備えるリッジ先端とを有する。図５３において、アブレイダブル構成部材４３０の実施形態は、下側の溝４３８Ｂによって分離された、非対称な断面輪郭を備えるリッジ４３２の配列を有する。各リッジ４３２は、角度β1で傾斜した第１の側壁４３５と、角度β2で傾斜した第２の側壁４３６とを有する。各リッジ４３２は、リッジ長手方向軸線に対して平行でかつリッジ先端４３４に対して垂直な上側溝４３８Ａを有する。上側溝４３８Ａの深さは、上側摩耗ゾーンＩの下限を規定しており、リッジ４３２の残りの高さは、下側摩耗ゾーンＩＩを規定している。
【００６２】
図５４〜図５６において、それぞれのリッジ４２２，４４２および４５２の断面は、角度βで向けられた平行な側壁４２５／４４５／４５５および４２６／４４６／４５６を備える台形である。右側の壁部４２６／４４６／４５６は、ブレード回転方向とは反対方向に傾くように向けられており、これにより、２つの隣接するリッジの間の中間下側溝４２８Ｂ／４４８Ｂ／４５８Ｂ内に捕捉された空気も、図４６の非対称なアブレイダブル輪郭３５０において示しかつ説明したように、タービンブレードの上流高圧側９６からタービンブレードの低圧吸込側９８へのブレード先端漏れ方向に対抗して、ブレード回転方向とは反対方向に方向転換される。それぞれの上側溝４２８Ａ／４４８Ａ／４５８Ａの向きおよび輪郭も、空気流漏れを方向付け、かつ上側摩耗ゾーンＩを形成するように変更されている。溝輪郭は、選択的に、拡開を有さない平行な側壁から、変化する深さＤGの、リッジ先端表面に対する変化する角度向きεにおける、角度Φの負または正の拡開までの範囲において、変化させられている。図５４において、上側溝４２８Ａは、リッジ先端４２４の表面に対して垂直に向けられている（ε＝９０°）。図５５および図５６において、それぞれの上側溝４４８Ａおよび４５８Ａは、その対応するリッジ先端表面に対して角度＋／−εで向けられている。
【００６３】
図５７は、マルチレベル溝および上側／下側摩耗ゾーンを有するアブレイダブル構成部材４６０の平面図形を示しており、前方Ａおよび後方Ｂのリッジ４６２Ａ／４６２Ｂは、それぞれの角度αA/Bで向けられた下側溝４６８Ａ／Ｂによって分離されている。図４９の実施形態に示されたタイプの前方および後方の上側の部分深さ溝４６３Ａ／Ｂの配列が、リッジ４６２Ａ／Ｂのそれぞれの配列に形成されており、それぞれの角度βA/Bでリッジおよび全深さ溝４６８Ａ／Ｂを横断するように向けられている。上側の部分深さ溝４６３Ａ／Ｂは、アブレイダブル構成部材４６０の上側摩耗ゾーンＩの鉛直方向境界を規定しており、これらの部分深さ上側溝より下側のリッジの残りの部分は、下側摩耗ゾーンの鉛直方向境界を規定している。
【００６４】
溶射されたアブレイダブル構成部材構成により、上側摩耗ゾーンＩの溶射されたアブレイダブル材料の断面および高さは、図５８に示したように、リッジの上部において、ＣＭＣ／ＦＧＩアブレイダブル構成部材構成における中空セラミック球体の周囲に溝を形成する前述の幾何学的制限、および金属のアブレイダブル構成部材支持構造を使用するという設計的利点なしに、マイクロリブまたは尖端の配列を規定することによって、ブレード先端侵入の様々な程度に一致するように構成することができる。アブレイダブル構成部材４７０は、前述の金属支持面４７１を有し、下側溝およびリッジの配列は、下側摩耗ゾーンＩＩを形成している。特に、下側リッジ４７２Ｂは、リッジ平坦部４７４Ｂにおいて終わった側壁４７５Ｂおよび４７６Ｂを有する。下側溝４７８Ｂは、リッジ側壁４７５Ｂおよび４７６Ｂならびに基板表面４７７によって規定されている。マイクロリブまたは尖端４７２Ａは、公知の付加プロセスによってまたは下側リッジ４７２Ｂ内に交差する溝４７８Ａおよび４７８Ｃの配列を形成することによって、さもなければＣＭＣ／ＦＧＩアブレイダブル構成部材設計に課されるあらゆる中空球体一体性保持ジオメトリ制約なしに、下側リッジ平坦部４７４Ｂに形成されている。図５８の実施形態では、尖端４７２Ａは、共通の高さのリッジ先端４７４Ａにおいて終わった直立した側壁４７５Ａ，４７５Ｃ，４７６Ａおよび４７６Ｃによって規定された正方形またはその他の矩形の断面を有する。例えば台形または六角形の断面を含む、その他の尖端４７２Ａの断面平面形状を利用することができる。様々な局所的な断面および高さを含む尖端配列を利用することもできる。
【００６５】
図６０の代替的な実施形態では、直立したピクセル状の尖端４７２Ａ’の遠位リブ先端４７４Ａ’は、下側の溶射された材料４８２とは異なる物理的特性および／または組成を有する溶射された材料４８０から構成されている。例えば、上側遠位材料４８０は、下側材料４８２よりも削れやすいまたは削れにくいアブレーション特性を備えて構成することができる（例えば、より柔軟またはより多孔質またはその両方）。この形式では、ブレード先端間隙Ｇは、ブレード先端漏れを減じるために従来公知のアブレイダブル構成部材において使用されるよりも小さくなるように設計することができ、これにより、材料４８０へのあらゆる局所的なブレード侵入は、このような接触がより起こりやすくなるとしても、ブレード先端を摩耗しにくい。この形式では、タービンエンジンは、より小さなブレード先端間隙を備えて設計することができ、これは、ブレード摩耗に大きな影響を与えることなく、タービンエンジンの作動効率、および標準モードまたは急速始動モードにおいて運転される能力を高める。
【００６６】
尖端４７２Ａおよび溝４７８Ａ／Ｃの寸法境界は、図５８および図５９に識別されており、前の実施形態に記載されたものと一貫する。概して、尖端４７２Ａの高さＨRAは、ブレード先端間隙Ｇの約２０％〜１００％、または下側リッジ４７２Ｂおよび尖端４７２Ａの合計リッジ高さの約３分の１〜３分の２の範囲である。尖端４７２Ａの断面は、尖端高さＨRAの約２０％〜５０％の範囲である。尖端材料構成および表面密度（中心線間隔ＳRA/RBおよび溝幅ＷGAによって定量化される）は、アブレイダブル構成部材４７０の耐摩耗性、耐熱性、構造的安定性および空気流特性を平衡させるように選択される。例えば、制御された密度の溶射されたセラミックのアブレイダブルにおいて製造された複数の小さな幅の尖端４７２Ａは、高温ガスに対する高い漏れ保護を提供する。これは、高侵入傾向領域においてのみ、または完全エンジンセットであることができる。付加的なシールが必要とされ、これは、リッジの幅を増大させることによってではなく、リッジの低い強度を維持する複数のリッジの増大を介して行われることが提案されている。典型的な尖端中央線間隔ＳRA/RBまたは尖端４７２Ａの構造および配列パターン密度選択は、ピクセル化された尖端が、様々なモードにおいて、図６１および図６３に示されているように、ブレード先端９４の侵入の変化する深さに応答することを可能にする。
【００６７】
図６１において、ゼロまたは実際には負のブレード先端間隙Ｇが存在する。なぜならば、タービンブレード先端９４は、ピクセル化された尖端４７２Ａのリッジ先端４７４Ａに接触しているからである。ブレード先端９４の接触侵入は、ピクセル化された尖端４７２Ａをたわませる。図６２において、アブレイダブル構成部材４７０内へのより深いブレード先端侵入が存在し、尖端４７２Ａが下側リブ平坦部４７４Ｂを摩耗、破損またはせん断し、それらの間に残りのブレード先端間隙を残す。この形式では、残留破損尖端スタブ４７２Ａとの最小限のブレード先端接触が（あるとすれば）存在するが、摩耗ゾーンＩＩにおける下側リッジ４７２Ｂは、ブレード先端漏れの空気流制御を維持する。図６３では、ブレード先端９４は、摩耗ゾーンＩＩにおける下側リブ４７２Ｂの下側リッジ平坦部４７４Ｂ内へ突入している。標準モードまたは急速始動モードでの始動が可能なエンジンの例に戻ると、代替的な実施形態では、尖端４７２Ａは、交互の高さＨRAのパターンで配列することができる。すなわち、より高い尖端は標準始動のために最適化されており、より低い尖端は急速始動のために最適化されている。急速始動モードでは、交互の尖端４７２Ａのうちの高い方は破損し、ブレード先端間隙Ｇの維持のために、交互の尖端のうちの低い方を残す。壊れやすいリブまたは尖端を有する典型的な溶射されたアブレイダブル構成部材は、１よりも大きい、高さＨRA対幅ＷRAの比を有する。通常、リッジまたは尖端の最高点において測定した幅ＷRAは、０．５〜２ｍｍであり、その高さＨRAは、エンジン侵入ニーズによって決定され、１よりも大きい、高さ対幅の比（ＨRA／ＷRA）を維持する。付加的なシールが必要とされ、これは、リッジの幅ＷRAを増大させることによってではなく、複数のリッジまたは尖端の増大を介して（すなわち、リッジの低い強度を維持する、狭い幅の尖端またはリッジのより大きな分布密度）を介して行われることが提案される。低速アブレイダブルシステムを必要とするエンジンにおけるゾーンのために、リッジまたは尖端の幅と溝の幅との比（ＷRA／ＷGA）は、好適には１未満である。通常は容易なブレード先端削りやすさを必要としない、エンジンアブレイダブル構成部材表面ゾーンまたは領域のために、アブレイダブル面断面輪郭は、好適には、空力的封止能力のために最大化されている（例えば、１よりも大きなリッジ／尖端と溝幅との比を有する、本発明の表面平面図形および断面輪郭の実施形態を適用することによる、小さなブレード先端間隙Ｇおよび最小化されたブレード先端漏れ）。
【００６８】
周方向アブレイダブル面内へのブレード深さ侵入の複数のモードが、あらゆるタービンエンジンにおいて様々な位置で生じ得る。したがって、あらゆる局所的な周方向位置におけるアブレイダブル面構成は、ブレード侵入の生じ得る程度を補償するように選択的に変化させられてもよい。例えば、図３〜図６におけるガスタービンエンジン８０の典型的な公知の周方向摩耗ゾーンパターンを再び参照すると、３：００および６：００位置におけるブレード先端間隙Ｇは、１２：００および９：００周方向位置の摩耗パターンよりも小さくてもよい。１２：００および６：００位置におけるより大きな摩耗を予想すると、下側リッジ高さＨRBは、最悪の場合の最小ブレード先端間隙Ｇを形成するように選択することができ、ピクセル化されたまたはその他の上側摩耗ゾーンＩのリッジ構造高さＨRAと、断面幅と、尖端間隔密度とは、ブレード先端９４をアブレイダブル面層へ突入させるアブレイダブル構成部材およびケースのゆがみの可能性が低いまたは最小限であるようなタービンケーシングの他の周方向位置において、小さな「最善の場合の」ブレード先端間隙Ｇを形成するように選択することができる。一例として図６２の脆いリッジ４７２Ａを使用すると、苛酷なエンジン運転条件の間（例えば、エンジンが急速始動モードにあるとき）、ブレード９４は、脆いリッジ４７２Ａまたは４７２Ａ’に衝突し、リッジは、高い荷重を受けて破損し、衝突ゾーンにおいてのみ間隙を増大させ、最適ではないアブレイダブル条件でのブレード先端摩耗を制限する。概して、アブレイダブル構成部材における上側摩耗ゾーンＩのリッジ高さは、理想的なブレード先端間隙が０．２５ｍｍとなるように選択することができる。３：００および９：００のタービンケーシング周方向摩耗ゾーン（例えば、図６の１２４および１２８）は、エンジン運転サイクルを通じて、所望の０．２５ｍｍのブレード先端間隙を維持する可能性が高いが、他の周方向位置では、タービンケーシング／アブレイダブル構成部材のゆがみの可能性が高い。下側リッジ高さは、リッジ先端を１．０ｍｍの理想的なブレード先端間隙に設定するように選択されてよく、これにより、より高い摩耗ゾーンでは、ブレード先端は、摩耗ゾーンＩ内へのみより深く摩耗し、下側摩耗ゾーンＩＩのための境界を設定する下側リッジ先端には接触しない。最善の計算にもかかわらず、ブレード先端が摩耗ゾーンＩＩ内へ摩耗し続けたとしても、結果としてのブレード先端摩耗運転条件は、従来公知のアブレイダブル層構成よりも悪くなることはない。しかしながら、アブレイダブル層に沿った局所的な周方向位置の残りの部分では、タービンエンジンは、下側ブレード先端間隙Ｇを伴って、ひいてはより高い運転効率で、ブレード先端において不都合な増大した摩耗をほとんどまたは全く有することなく、適正に作動する。
【００６９】
傾斜した角度の表面リッジまたは溝パターン
図６５〜図７１のアブレイダブル構成部材の実施形態は、ブレード先端の空気流漏れを制御するために、傾斜した側壁、リッジ先端または溝ベース面のうちの１つまたは複数を備えたリッジまたは溝パターンを採用している。傾斜したリッジ先端を有する実施形態もまた、ブレード先端の摩耗減少を促進する。なぜならば、これらの実施形態は、平坦なリッジ先端を有する実施形態と比較して、ブレード先端との潜在的なアブレイダブル面の接触面積が小さいからである。本明細書で既に説明した様々な実施形態は、ブレード先端の摩耗減少およびブレード先端漏れの制御輪郭のために、漸進的な摩耗ゾーンを備える平坦なリッジ先端を採用していた。図３９のアブレイダブル構成部材３１０の実施形態が、摩耗減少およびブレード先端漏れ流Ｌの制御のために、二重の高さのリッジ３１２Ａ／３１２Ｂを採用していることを思い出されたい。対照的に、図４６のアブレイダブル構成部材３５０は、鉛直の側壁３５６と、傾斜した側壁３５５とを備えるテーパしたリブ／リッジ３５２の輪郭を採用しており、これは、テーパしたリブ／リッジ３５２が溝ベース３５７に向かって鉛直方向に削られたときに、より多くの表面積を露出させる。向かい合った鉛直の側壁と傾斜した側壁３５６／３５５によって形成された溝３５８は、先端漏れ流を減じるように、溝チャネル３５７において逆流Ｌを生ぜしめる。
【００７０】
図６５の実施形態では、アブレイダブル構成部材１３１０は、図４６の実施形態のものと同様の平坦なリッジ先端１３１４を備えた突出するリッジ１３１２を有する。しかしながら、両側壁１３１５／１３１６は、ブレード９２の回転方向Ｒとは反対に鉛直方向で傾斜させられているまたは先端を有する。リッジ１３１２の上流側（すなわち、流れＬに面した側）における傾斜した側壁１３１６は、逆流を生ぜしめ、漏れ流のための、より長い蛇行したまたはラビリンス状の流路を形成する。逆流と、より長い流路とが、漏れＬの流量を有効に減じる。加えて、平坦なリッジ先端１３１４との、傾斜した下流側の側壁１３１５の接続は、リッジ先端とブレード先端９４との間の間隙制限部分の下流において空気流体積を拡大している。溝における増大した体積は、空気流Ｌのための膨張ゾーンを形成しており、空気流Ｌは、溝ベースまたはフロア１３１７との側壁の接続部に沿って、渦流状の空気流Ｌ1を生ぜしめる。空気流Ｌ1は、流路全体の距離を増大しつつ、ブレード先端漏れＬの流れに抵抗する。逆流による抵抗と、増大した空気流距離とは、空気流漏れＬの流量を減じることを有効に助ける。
【００７１】
それぞれの図６６〜図６９のそれぞれのアブレイダブル実施形態１３２０，１３３０，１３４０および１３５０は、傾斜したリッジ先端１３２４，１３３４，１３４４および１３５４をそれぞれのアブレイダブルリッジ１３２２，１３３２，１３４２および１３５２に付加しており、ブレード先端９４の回転方向Ｒに沿って、リッジ先端を横切って可変幅のブレード先端間隙を生じている。図６６に焦点を絞ると、傾斜したリッジまたはリブ先端１３２４は、図６５のリッジ先端１３１４ものと比較して、対応するアブレイダブル面の潜在的なブレード先端９４との接触表面積を有効に減じている。初期の局所的なリッジ先端１３１４とブレード先端９４との接触（あるとすれば）は、側壁１３２６との接続部における先端の最も右側の上流のエッジのみに沿って生じ、接触表面積は、局所的なアブレイダブル先端／ブレード先端間隙が狭まるに従って拡大している。つまり、望まれるならば、傾斜したリッジ先端表面１３２４は、段状、マルチレベル、サブの溝を有する、またはピクセル化されたアブレイダブル構成部材リッジ輪郭を製造する必要なしに、漸進的なアブレイダブル摩耗ゾーンを有効に提供する。傾斜したリッジ先端１３２４は、漏れ空気流Ｌが、より狭められていない流れ空間へ開放するときに、最も狭い間隙制限部の下流の拡開間隙空気流膨張ゾーンにおいて付加的な渦流状空気流Ｌ2を有利には生じる。付加的な空気流領域Ｌ2は、側壁１３２５と溝ベース１３２７との接続部における渦流状の空気流領域Ｌ1を補足する。空気流領域Ｌ1およびＬ2の組み合わせは、より大きな累積した逆流と、先端漏れ流のエネルギの散逸とを生じさせ、漏れ流のためにさらに長い蛇行したまたはラビリンス状の流路を形成する。図６７のアブレイダブル構成部材１３３０の実施形態は、傾斜した溝ベース１３３７を溝１３３８に追加しており、溝１３２８の平坦な溝ベース１３２７の輪郭と比較して、より大きな漏れ空気流Ｌの膨張空間をさらに形成している。傾斜した溝ベース１３３７は、また、次の上流リッジ側壁１３２６の接続部において急激に方向転換されるまで、漏れ空気流Ｌをブレード先端間隙から離れるように方向付ける。図６８および図６９のそれぞれのアブレイダブル構成部材実施形態１３４０および１３５０において、それぞれのリッジ先端１３４４および１３５４は、図６６および図６７のものとは反対方向に傾斜させられている。これらの実施形態のそれぞれにおいて、ブレード先端間隙はブレード回転方向Ｒに沿って狭まっているので、漏れ空気流Ｌは、制限され、次いで、下流側壁１３４５／１３５５の接続部を一旦通過すると急激に膨張し、前記の渦流状の空気流Ｌ1を生ぜしめる。アブレイダブル構成部材１３２０，１３３０，１３４０および１３５０のその他の構造的特徴は、図６５の構成部材１３１０のものと同じ参照番号慣例を用いて示されている。
【００７２】
それぞれの図７０および図７１のアブレイダブル構成部材１３６０および１３７０は、ブレード回転方向Ｒ／空気流漏れ方向Ｌとは反対方向に傾斜させられたリッジ側壁と、段状のリッジ先端とを備えるリッジおよび溝断面輪郭を採用しており、前述の実施形態の上側Ｉおよび下側ＩＩのリッジ摩耗ゾーンと、それぞれの図６６〜図６９の実施形態１３２０，１３３０，１３４０および１３５０の高められた空気流漏れＬの制御とを組み合わせている。アブレイダブル構成部材１３６０は、段状のアブレイダブルリブ１３６２Ａ／Ｂと溝ベース１３６７とを支持するベース基板１３６１を有する。段状のリブ下側部分１３６２Ｂは下側摩耗ゾーンＩＩを形成しているのに対し、上側部分１３６２Ａは上側摩耗ゾーンＩを形成しており、変化する削り性の表面領域を提供している。なぜならば、リブは、回転するブレード９２の先端９４とのこすれ接触によって、局所的領域において摩耗されるからである。リブ上流側壁は、ブレード回転方向Ｒに傾斜させられた最も下側の部分１３６６Ｂを備えた、屈曲した合成角輪郭を規定しているのに対し、最も上側の部分１３６６Ａは、ブレード回転方向とは反対方向に傾斜させられている。この屈曲した角度の反転は、空気漏れ流Ｌの逆流再循環を生ぜしめるのに対し、側壁部分１３６４Ａに沿った段状のリブ先端１３６４Ａから１３６４Ｂは、渦流流れゾーンＬ2において空気流膨張を生ぜしめる。前述のように、渦流流れゾーンＬ2は、下流への漏れ流Ｌに抵抗し、漏れ流Ｌの蛇行したまたはラビリンス状の有効な流路を増大する。下側側壁１３６５Ｂと溝ベース１３６７との接続部の近くの領域における流れ膨張体積のさらなる増大は、前述の渦流流れゾーンＬ1を生じる。実施形態１３７０では、溝１３７８における傾斜した溝ベース１３７７は、図７０の溝１３６８の輪郭の平坦な溝ベース１３６７と比較して、より大きな漏れ空気流Ｌの膨張空間をさらに生じる。傾斜した溝ベース１３７７は、また、次の上流リッジの屈曲した角度の側壁１３７６Ｂ／１３７６Ａの接続部において急激に方向転換されるまで、漏れ空気流Ｌをブレード先端間隙から離れるように方向付ける。図示されていないが、ブレード／アブレイダブル間隙空気流漏れＬと、アブレイダブル表面積とは、さらに、それぞれのリッジ先端１３６４Ａ／１３６４Ｂまたは１３７４Ａ／１３７４Ｂの一方または両方を傾斜させることによってアブレイダブル構成部材１３６０または１３７０のいずれかにおいて選択的に変更することができる。
【００７３】
様々な実施形態の利点
本明細書においてタービンのアブレイダブル構成部材の様々な実施形態が説明されている。多くの実施形態は、回転するタービンブレードの軸方向スパンを横切る、局所的なブレード先端漏れおよびその他の空気流の制御のための、別個の前方および後方の平面図形リッジおよび溝配列を有する。多くの実施形態のリッジおよび溝パターンおよび配列は、製造が容易な直線的なセグメントを備えて、時には前方ゾーンと後方ゾーンの間に湾曲した移行部分を備えて、構成されている。多くの実施形態は、漸進的な鉛直方向の摩耗ゾーンをリッジ構造において形成しており、これにより、形成された上側ゾーンは、下側摩耗ゾーンよりも容易に削られる。比較的容易に削られる上側ゾーンは、ブレード先端摩耗のリスクを低下させるが、所望の小さなブレード先端間隙を形成し、保存する。下側摩耗ゾーンは、空気流制御、熱的摩耗および比較的下側の熱的削れに焦点を絞っている。多くの実施形態では、局所的な空気流制御および複数の鉛直方向摩耗ゾーンの双方が、アブレイダブル構成部材に組み込まれている。
【００７４】
本発明の教示を含んだ様々な実施形態がここに図示および説明されているが、当業者は、さらにこれらの教示を含んだ多くのその他の変更された実施形態を容易に考え出すことができる。発明は、詳細な説明に示されたまたは図面に例示された構成部材の構成および配置の典型的な実施形態の詳細にその適用が制限されない。発明は、他の実施形態が可能であり、様々な形式で実現または実施することができる。例えば、様々なリッジおよび溝の輪郭は、特定のエンジン用途の周囲に沿って局所的に変化させられていてもよい異なる平面図形配列で組み込まれてもよい。加えて、本明細書で使用される表現および用語は、説明のためであり、限定と見なされるべきではないことが理解されるべきである。すなわち、本明細書における「包含する」、「含む」または「有する」の使用およびその変形は、以後に挙げるアイテム、その均等物、および付加的なアイテムを内包することが意図されている。そうでないことが明示または限定されない限り、「取り付けられた」、「結合された」、「支持された」および「連結された」という用語およびその変形は、広く使用され、直接的および間接的な取付け、結合、支持および連結を包含する。さらに、「結合された」および「連結された」は、物理的または機械的な結合または連結に制限されない。
【図１】
0006290438.tif 000002
【図２】
0006290438.tif 000003
【図３】
0006290438.tif 000004
【図４】
0006290438.tif 000005
【図５】
0006290438.tif 000006
【図６】
0006290438.tif 000007
【図７】
0006290438.tif 000008
【図８】
0006290438.tif 000009
【図９】
0006290438.tif 000010
【図１０】
0006290438.tif 000011
【図１１】
0006290438.tif 000012
【図１２】
0006290438.tif 000013
【図１３】
0006290438.tif 000014
【図１４】
0006290438.tif 000015
【図１５】
0006290438.tif 000016
【図１６】
0006290438.tif 000017
【図１７】
0006290438.tif 000018
【図１８−１９】
0006290438.tif 000019
【図２０】
0006290438.tif 000020
【図２１】
0006290438.tif 000021
【図２２】
0006290438.tif 000022
【図２３】
0006290438.tif 000023
【図２４】
0006290438.tif 000024
【図２５】
0006290438.tif 000025
【図２６】
0006290438.tif 000026
【図２７】
0006290438.tif 000027
【図２８】
0006290438.tif 000028
【図２９】
0006290438.tif 000029
【図３０】
0006290438.tif 000030
【図３１】
0006290438.tif 000031
【図３２】
0006290438.tif 000032
【図３３】
0006290438.tif 000033
【図３４−３５】
0006290438.tif 000034
【図３６】
0006290438.tif 000035
【図３７】
0006290438.tif 000036
【図３８】
0006290438.tif 000037
【図３９】
0006290438.tif 000038
【図４０】
0006290438.tif 000039
【図４１】
0006290438.tif 000040
【図４２】
0006290438.tif 000041
【図４３】
0006290438.tif 000042
【図４４】
0006290438.tif 000043
【図４５】
0006290438.tif 000044
【図４６】
0006290438.tif 000045
【図４７】
0006290438.tif 000046
【図４８】
0006290438.tif 000047
【図４９】
0006290438.tif 000048
【図５０】
0006290438.tif 000049
【図５１】
0006290438.tif 000050
【図５２】
0006290438.tif 000051
【図５３】
0006290438.tif 000052
【図５４】
0006290438.tif 000053
【図５５】
0006290438.tif 000054
【図５６】
0006290438.tif 000055
【図５７】
0006290438.tif 000056
【図５８】
0006290438.tif 000057
【図５９】
0006290438.tif 000058
【図６０】
0006290438.tif 000059
【図６１】
0006290438.tif 000060
【図６２】
0006290438.tif 000061
【図６３】
0006290438.tif 000062
【図６４】
0006290438.tif 000063
【図６５】
0006290438.tif 000064
【図６６】
0006290438.tif 000065
【図６７】
0006290438.tif 000066
【図６８】
0006290438.tif 000067
【図６９】
0006290438.tif 000068
【図７０】
0006290438.tif 000069
【図７１】
0006290438.tif 000070